(57)【特許請求の範囲】
【請求項１】
ＲＡＴ間測定方法であって、
ロングタームエボリューション（ＬＴＥ）ネットワーク内に位置する端末デバイスに対して回線交換フォールバック（ＣＳＦＢ）を実施するプロセスにおいて、または前記端末デバイスにボイスオーバーロングタームエボリューション（ＶｏＬＴＥ）サービスを提供するプロセスにおいて、前記ＬＴＥネットワークから２Ｇまたは３Ｇネットワークの回線交換（ＣＳ）ドメインへのハンドオーバを前記端末デバイスがサポートすると進化型ノードＢ（ｅＮｏｄｅＢ）が判断する段階と、
前記ｅＮｏｄｅＢが、測定制御メッセージを前記端末デバイスへ送信する段階であって、前記測定制御メッセージは、第１接続間欠受信（Ｃ−ＤＲＸ）パラメータと測定設定パラメータとを含み、前記第１Ｃ−ＤＲＸパラメータと前記測定設定パラメータとは、第１Ｃ−ＤＲＸサイクルの休止期間に前記２Ｇまたは３Ｇネットワークの信号品質を測定するよう前記端末デバイスに命令するのに用いられる段階と
を備える、方法。
【請求項２】
前記第１Ｃ−ＤＲＸサイクルは前記第１Ｃ−ＤＲＸパラメータで判断され、前記第１Ｃ−ＤＲＸサイクルの前記休止期間の持続時間は５１ｍｓ以上である、請求項１に記載の方法。
【請求項３】
前記第１Ｃ−ＤＲＸサイクルは前記第１Ｃ−ＤＲＸパラメータで判断され、前記第１Ｃ−ＤＲＸサイクルの前記休止期間の持続時間の、前記第１Ｃ−ＤＲＸサイクルの持続時間に対する比は、０．６より大きい、請求項１または２に記載の方法。
【請求項４】
前記ｅＮｏｄｅＢが測定制御メッセージを前記端末デバイスへ送信する前記段階の前に、前記ｅＮｏｄｅＢが、第２Ｃ−ＤＲＸパラメータを前記端末デバイスへ送信する段階であって、前記第２Ｃ−ＤＲＸパラメータは、前記端末デバイスのために第２Ｃ−ＤＲＸサイクルを設定するのに用いられる段階をさらに備える、請求項１から３のいずれか一項に記載の方法。
【請求項５】
前記第１Ｃ−ＤＲＸサイクルの前記休止期間の持続時間は、前記第２Ｃ−ＤＲＸサイクルの休止期間の持続時間より長く、または、
前記第１Ｃ−ＤＲＸサイクルの前記休止期間の持続時間の、前記第１Ｃ−ＤＲＸサイクルの持続時間に対する比は、前記第２Ｃ−ＤＲＸサイクルの休止期間の持続時間の、前記第２Ｃ−ＤＲＸサイクルの持続時間に対する比より大きく、
前記第１Ｃ−ＤＲＸサイクルは前記第１Ｃ−ＤＲＸパラメータで判断され、前記第２Ｃ−ＤＲＸサイクルは前記第２Ｃ−ＤＲＸパラメータで判断される、請求項４に記載の方法。
【請求項６】
前記ｅＮｏｄｅＢが、前記端末デバイスによって返された測定報告を受信し、前記ＬＴＥネットワークから前記２Ｇまたは３Ｇネットワークの前記ＣＳドメインへの前記ハンドオーバを実行しないよう前記測定報告に従って判断した場合、前記ｅＮｏｄｅＢは前記第２Ｃ−ＤＲＸパラメータを前記端末デバイスへ送信する、または、
前記ｅＮｏｄｅＢが、前記端末デバイスによって返された測定報告を受信し、ハンドオーバ要請メッセージをモビリティ管理エンティティ（ＭＭＥ）へ送信して前記ＬＴＥネットワークから前記２Ｇまたは３Ｇネットワークの前記ＣＳドメインへの前記ハンドオーバのプロセスをトリガし、前記ハンドオーバのプロセスが失敗したと判断した場合、前記ｅＮｏｄｅＢは前記第２Ｃ−ＤＲＸパラメータを前記端末デバイスへ送信する、請求項４または５に記載の方法。
【請求項７】
前記ｅＮｏｄｅＢが、前記端末デバイスによって返された測定報告を受信し、前記ＬＴＥネットワークから前記２Ｇまたは３Ｇネットワークの前記ＣＳドメインへの前記ハンドオーバを実行しないよう前記測定報告に従って判断した場合、前記ｅＮｏｄｅＢは要求メッセージを前記端末デバイスへ送信し、前記要求メッセージは、前記端末デバイスのＣ−ＤＲＸ機能を無効化するよう前記端末デバイスに命令するのに用いられる、または、
前記ｅＮｏｄｅＢが、前記端末デバイスによって返された測定報告を受信し、ハンドオーバ要請メッセージをモビリティ管理エンティティ（ＭＭＥ）へ送信して前記ＬＴＥネットワークから前記２Ｇまたは３Ｇネットワークの前記ＣＳドメインへの前記ハンドオーバのプロセスをトリガし、前記ハンドオーバのプロセスが失敗したと判断した場合、前記ｅＮｏｄｅＢは要求メッセージを前記端末デバイスへ送信する、請求項１から５のいずれか一項に記載の方法。
【請求項８】
前記測定設定パラメータはさらに、アップリンクデータの送信を停止するよう前記端末デバイスに命令するのに用いられる命令情報を含む、請求項１から７のいずれか一項に記載の方法。
【請求項９】
ＲＡＴ間測定方法であって、
ロングタームエボリューション（ＬＴＥ）ネットワーク内に位置する端末デバイスに対して進化型ノードＢ（ｅＮｏｄｅＢ）が回線交換フォールバック（ＣＳＦＢ）を実施するプロセスにおいて、または前記ｅＮｏｄｅＢが前記端末デバイスにボイスオーバーロングタームエボリューション（ＶｏＬＴＥ）サービスを提供するプロセスにおいて、前記ｅＮｏｄｅＢにより送信された測定制御メッセージを前記端末デバイスが受信する段階であって、前記測定制御メッセージは第１接続間欠受信（Ｃ−ＤＲＸ）パラメータと測定設定パラメータとを含み、前記第１Ｃ−ＤＲＸパラメータと前記測定設定パラメータとは、第１Ｃ−ＤＲＸサイクルの休止期間に２Ｇまたは３Ｇネットワークの信号品質を測定するよう前記端末デバイスに命令するのに用いられる段階と、
前記第１Ｃ−ＤＲＸサイクルの前記休止期間に前記２Ｇまたは３Ｇネットワークの前記信号品質を前記端末デバイスが測定する段階と
を備える、方法。
【請求項１０】
前記第１Ｃ−ＤＲＸサイクルは前記第１Ｃ−ＤＲＸパラメータで判断され、前記第１Ｃ−ＤＲＸサイクルの前記休止期間の持続時間は５１ｍｓ以上である、請求項９に記載の方法。
【請求項１１】
前記第１Ｃ−ＤＲＸサイクルは前記第１Ｃ−ＤＲＸパラメータで判断され、前記第１Ｃ−ＤＲＸサイクルの前記休止期間の持続時間の、前記第１Ｃ−ＤＲＸサイクルの持続時間に対する比は、０．６より大きい、請求項９または１０に記載の方法。
【請求項１２】
前記ｅＮｏｄｅＢにより送信された測定制御メッセージを前記端末デバイスが受信する前記段階の前に、
前記ｅＮｏｄｅＢにより送信された第２Ｃ−ＤＲＸパラメータを前記端末デバイスが受信する段階であって、前記第２Ｃ−ＤＲＸパラメータは、前記端末デバイスのために第２Ｃ−ＤＲＸサイクルを設定するのに用いられる段階と、
前記第２Ｃ−ＤＲＸサイクルの休止期間に物理ダウンリンク制御チャネルのデータの前記端末デバイスによる受信をスキップする段階と
をさらに備える、請求項９から１１のいずれか一項に記載の方法。
【請求項１３】
前記第１Ｃ−ＤＲＸサイクルの前記休止期間の持続時間は、前記第２Ｃ−ＤＲＸサイクルの前記休止期間の持続時間より長く、または、
前記第１Ｃ−ＤＲＸサイクルの前記休止期間の持続時間の、前記第１Ｃ−ＤＲＸサイクルの持続時間に対する比は、前記第２Ｃ−ＤＲＸサイクルの前記休止期間の持続時間の、前記第２Ｃ−ＤＲＸサイクルの持続時間に対する比より大きく、
前記第１Ｃ−ＤＲＸサイクルは前記第１Ｃ−ＤＲＸパラメータで判断され、前記第２Ｃ−ＤＲＸサイクルは前記第２Ｃ−ＤＲＸパラメータで判断される、請求項１２に記載の方法。
【請求項１４】
前記２Ｇまたは３Ｇネットワークの前記信号品質を測定することにより取得された測定結果に従って測定報告を前記端末デバイスが生成する段階と、
前記端末デバイスが、前記測定報告を前記ｅＮｏｄｅＢへ送信する段階と
をさらに備える、請求項９から１３のいずれか一項に記載の方法。
【請求項１５】
前記端末デバイスが、前記測定報告を前記ｅＮｏｄｅＢへ送信する前記段階の後に、
前記ｅＮｏｄｅＢにより送信された第２Ｃ−ＤＲＸパラメータを前記端末デバイスが受信する段階、または、
前記ｅＮｏｄｅＢにより送信された要求メッセージを前記端末デバイスが受信する段階であって、前記要求メッセージは、前記端末デバイスのＣ−ＤＲＸ機能を無効化するよう前記端末デバイスに命令するのに用いられる段階、および前記端末デバイスの前記Ｃ−ＤＲＸ機能を前記端末デバイスが無効化する段階
をさらに備える、請求項１４に記載の方法。
【請求項１６】
前記ｅＮｏｄｅＢにより送信された測定制御メッセージを前記端末デバイスが受信する前記段階の後に、
前記端末デバイスによるアップリンクデータの送信を停止する段階をさらに備える、請求項９から１５のいずれか一項に記載の方法。
【請求項１７】
進化型ノードＢであって、
ロングタームエボリューション（ＬＴＥ）ネットワーク内に位置する端末デバイスに対して前記進化型ノードＢが回線交換フォールバック（ＣＳＦＢ）を実施するプロセスにおいて、または前記進化型ノードＢが前記端末デバイスにボイスオーバーロングタームエボリューション（ＶｏＬＴＥ）サービスを提供するプロセスにおいて、前記ＬＴＥネットワークから２Ｇまたは３Ｇネットワークの回線交換（ＣＳ）ドメインへのハンドオーバを前記端末デバイスがサポートすると判断する判断ユニットと、
測定制御メッセージを前記端末デバイスへ送信するインタラクションユニットであって、前記測定制御メッセージは、第１接続間欠受信（Ｃ−ＤＲＸ）パラメータと測定設定パラメータとを含み、前記第１Ｃ−ＤＲＸパラメータと前記測定設定パラメータとは、第１Ｃ−ＤＲＸサイクルの休止期間に前記２Ｇまたは３Ｇネットワークの信号品質を測定するよう前記端末デバイスに命令するのに用いられる、インタラクションユニットと
を備える、進化型ノードＢ。
【請求項１８】
前記第１Ｃ−ＤＲＸサイクルは前記第１Ｃ−ＤＲＸパラメータで判断され、前記第１Ｃ−ＤＲＸサイクルの前記休止期間の持続時間は５１ｍｓ以上である、請求項１７に記載の進化型ノードＢ。
【請求項１９】
前記インタラクションユニットはさらに、前記測定制御メッセージを前記端末デバイスへ送信する前に、第２Ｃ−ＤＲＸパラメータを前記端末デバイスへ送信し、前記第２Ｃ−ＤＲＸパラメータは、前記端末デバイスのために第２Ｃ−ＤＲＸサイクルを設定するのに用いられる、請求項１７または１８に記載の進化型ノードＢ。
【請求項２０】
前記第１Ｃ−ＤＲＸサイクルの前記休止期間の持続時間は、前記第２Ｃ−ＤＲＸサイクルの休止期間の持続時間より長く、または、
前記第１Ｃ−ＤＲＸサイクルの前記休止期間の持続時間の、前記第１Ｃ−ＤＲＸサイクルの持続時間に対する比は、前記第２Ｃ−ＤＲＸサイクルの休止期間の持続時間の、前記第２Ｃ−ＤＲＸサイクルの持続時間に対する比より大きく、
前記第１Ｃ−ＤＲＸサイクルは前記第１Ｃ−ＤＲＸパラメータで判断され、前記第２Ｃ−ＤＲＸサイクルは前記第２Ｃ−ＤＲＸパラメータで判断される、請求項１９に記載の進化型ノードＢ。
【請求項２１】
前記インタラクションユニットはさらに、前記端末デバイスによって返された測定報告を受信し、前記ＬＴＥネットワークから前記２Ｇまたは３Ｇネットワークの前記ＣＳドメインへの前記ハンドオーバを実行しないよう前記測定報告に従って判断し、前記第２Ｃ−ＤＲＸパラメータを前記端末デバイスへ送信する、または、
前記インタラクションユニットはさらに、前記端末デバイスによって返された測定報告を受信し、ハンドオーバ要請メッセージをモビリティ管理エンティティ（ＭＭＥ）へ送信して前記ＬＴＥネットワークから前記２Ｇまたは３Ｇネットワークの前記ＣＳドメインへの前記ハンドオーバのプロセスをトリガし、前記ハンドオーバのプロセスが失敗したと判断し、前記第２Ｃ−ＤＲＸパラメータを前記端末デバイスへ送信する、請求項１９または２０に記載の進化型ノードＢ。
【請求項２２】
前記測定設定パラメータはさらに、アップリンクデータの送信を停止するよう前記端末デバイスに命令するのに用いられる命令情報を含む、請求項１７から２１のいずれか一項に記載の進化型ノードＢ。
【請求項２３】
端末デバイスであって、
前記端末デバイスに対して進化型ノードＢ（ｅＮｏｄｅＢ）が回線交換フォールバック（ＣＳＦＢ）を実施するプロセスにおいて、または前記ｅＮｏｄｅＢが前記端末デバイスにボイスオーバーロングタームエボリューション（ＶｏＬＴＥ）サービスを提供するプロセスにおいて、前記ｅＮｏｄｅＢにより送信された測定制御メッセージを受信するインタラクションユニットであって、前記測定制御メッセージは第１接続間欠受信（Ｃ−ＤＲＸ）パラメータと測定設定パラメータとを含み、前記第１Ｃ−ＤＲＸパラメータと前記測定設定パラメータとは、第１Ｃ−ＤＲＸサイクルの休止期間に２Ｇまたは３Ｇネットワークの信号品質を測定するよう前記端末デバイスに命令するのに用いられる、インタラクションユニットと、
前記第１Ｃ−ＤＲＸサイクルの前記休止期間に前記２Ｇまたは３Ｇネットワークの前記信号品質を測定する処理ユニットと
を備える、端末デバイス。
【請求項２４】
前記第１Ｃ−ＤＲＸサイクルは前記第１Ｃ−ＤＲＸパラメータで判断され、前記第１Ｃ−ＤＲＸサイクルの前記休止期間の持続時間は５１ｍｓ以上である、請求項２３に記載の端末デバイス。
【請求項２５】
前記インタラクションユニットはさらに、前記ｅＮｏｄｅＢにより送信された前記測定制御メッセージを受信する前に、前記端末デバイスのために第２Ｃ−ＤＲＸサイクルを設定するのに用いられる、前記ｅＮｏｄｅＢにより送信された第２Ｃ−ＤＲＸパラメータを受信し、前記第２Ｃ−ＤＲＸサイクルの休止期間に物理ダウンリンク制御チャネルのデータの受信をスキップする、請求項２３または２４に記載の端末デバイス。
【請求項２６】
前記第１Ｃ−ＤＲＸサイクルの前記休止期間の持続時間は、前記第２Ｃ−ＤＲＸサイクルの前記休止期間の持続時間より長く、または、
前記第１Ｃ−ＤＲＸサイクルの前記休止期間の持続時間の、前記第１Ｃ−ＤＲＸサイクルの持続時間に対する比は、前記第２Ｃ−ＤＲＸサイクルの前記休止期間の持続時間の、前記第２Ｃ−ＤＲＸサイクルの持続時間に対する比より大きく、
前記第１Ｃ−ＤＲＸサイクルは前記第１Ｃ−ＤＲＸパラメータで判断され、前記第２Ｃ−ＤＲＸサイクルは前記第２Ｃ−ＤＲＸパラメータで判断される、請求項２５に記載の端末デバイス。
【請求項２７】
前記処理ユニットはさらに、前記２Ｇまたは３Ｇネットワークの前記信号品質を測定することにより取得された測定結果に従って測定報告を生成し、
前記インタラクションユニットはさらに、前記測定報告を前記ｅＮｏｄｅＢへ送信する、請求項２３から２６のいずれか一項に記載の端末デバイス。
【請求項２８】
前記インタラクションユニットはさらに、前記ｅＮｏｄｅＢへ前記測定報告を送信した後に、前記端末デバイスのために第２Ｃ−ＤＲＸサイクルを設定するのに用いられる、前記ｅＮｏｄｅＢにより送信された第２Ｃ−ＤＲＸパラメータを受信し、前記第２Ｃ−ＤＲＸサイクルの前記休止期間に物理ダウンリンク制御チャネルのデータの受信をスキップする、または、
前記インタラクションユニットはさらに、前記測定報告を前記ｅＮｏｄｅＢへ送信した後に、前記端末デバイスのＣ−ＤＲＸ機能を無効化するよう前記端末デバイスに命令するのに用いられる、前記ｅＮｏｄｅＢにより送信された要求メッセージを受信し、前記処理ユニットはさらに、前記端末デバイスの前記Ｃ−ＤＲＸ機能を無効化する、請求項２７に記載の端末デバイス。
【請求項２９】
前記インタラクションユニットはさらに、前記ｅＮｏｄｅＢにより送信された前記測定制御メッセージを受信した後に、アップリンクデータの送信を停止する、請求項２７または２８に記載の端末デバイス。
【請求項３０】
請求項１７から２２のいずれか一項に記載の進化型ノードＢと、
請求項２３から２９のいずれか一項に記載の端末デバイスと
を備える、測定システム。
【請求項３１】
進化型ノードＢであって、
プロセッサと、メモリと、バスと、通信インタフェースとを備え、
前記メモリはコンピュータ実行命令を記憶し、前記プロセッサと前記メモリとは、前記バスを用いることにより接続され、前記進化型ノードＢが動作しているとき、前記プロセッサは、前記メモリに記憶された前記コンピュータ実行命令を実行し、これにより、前記進化型ノードＢは、請求項１から８のいずれか一項に記載のＲＡＴ間測定方法を実行する、進化型ノードＢ。
【請求項３２】
端末デバイスであって、
プロセッサと、メモリと、バスと、通信インタフェースとを備え、
前記メモリはコンピュータ実行命令を記憶し、前記プロセッサと前記メモリとは、前記バスを用いることにより接続され、前記端末デバイスが動作しているとき、前記プロセッサは、前記メモリに記憶された前記コンピュータ実行命令を実行し、これにより、前記端末デバイスは、請求項９から１６のいずれか一項に記載のＲＡＴ間測定方法を実行する、端末デバイス。
【請求項３３】
コンピュータ実行命令を備え、
コンピュータのプロセッサが前記コンピュータ実行命令を実行したとき、前記コンピュータは、請求項１から８のいずれか一項に記載のＲＡＴ間測定方法を実行する、コンピュータプログラム。
【請求項３４】
コンピュータ実行命令を備え、
コンピュータのプロセッサが前記コンピュータ実行命令を実行したとき、前記コンピュータは、請求項９から１６のいずれか一項に記載のＲＡＴ間測定方法を実行する、コンピュータプログラム。
【発明の詳細な説明】
【技術分野】
【０００１】
本願発明は、通信技術分野、特に、ＲＡＴ間測定方法ならびに関連する装置およびシステムに関する。
【背景技術】
【０００２】
グローバル移動通信システム（ＧＳＭ（登録商標））ネットワークまたはワイドバンドコード分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ，  ＷＣＤＭＡ（登録商標））ネットワークなどの第２世代（Ｓｅｃｏｎｄ  Ｇｅｎｅｒａｔｉｏｎ，  ２Ｇ）または第３世代（Ｔｈｉｒｄ  Ｇｅｎｅｒａｔｉｏｎ，  ３Ｇ）ネットワークは、基本的にフルカバレッジを実現している。
【０００３】
ロングタームエボリューション（Ｌｏｎｇ  Ｔｅｒｍ  Ｅｖｏｌｕｔｉｏｎ，  ＬＴＥ）ネットワーク技術の発展に伴い、ＬＴＥネットワークは、いくつかの都市エリアおよびトラフィックホットスポットエリアをカバーしてきた。このように、現在の通信ネットワークにおいて、ＬＴＥネットワークは、２Ｇ／３Ｇネットワークと共存している。ＬＴＥネットワークは構築段階にあるので、いくつかのＬＴＥネットワークは、データサービスのみをサポートし得、音声サービスをサポートし得ない。そのようなＬＴＥネットワーク内に位置するユーザ機器（Ｕｓｅｒ  Ｅｑｕｉｐｍｅｎｔ，  ＵＥ）が音声サービスを開始するとき、ＵＥは、回線交換（Ｃｉｒｃｕｉｔ  Ｓｗｉｔｃｈｅｄ，  ＣＳ）ドメインを有する２Ｇ／３Ｇネットワークにフォールバックしてから、そのＣＳドメインを有する２Ｇ／３Ｇネットワークにおいて音声サービスを実施する必要がある。先述の技術、つまり、ＬＴＥネットワークのＣＳドメインから２Ｇ／３ＧネットワークのＣＳドメインへのハンドオーバは、回線交換フォールバック（Ｃｉｒｃｕｉｔ  Ｓｗｉｔｃｈｅｄ  Ｆａｌｌｂａｃｋ，  ＣＳＦＢ）技術と称される。いくつかのＬＴＥネットワークは、音声サービスをサポートし得る。よって、ＵＥは、ボイスオーバーＬＴＥ（Ｖｏｉｃｅ  ｏｖｅｒ  ＬＴＥ，  ＶｏＬＴＥ）サービスを用い得る。しかし、ＬＴＥネットワークはフルカバレッジを実現していないので、ＶｏＬＴＥを用いるＵＥがＬＴＥネットワークと２Ｇ／３Ｇネットワークとの間の境界エリアに位置する、または２Ｇ／３Ｇネットワークのみによってカバーされるエリアに入ろうとする場合、通常、ＶｏＬＴＥから２Ｇ／３ＧネットワークのＣＳドメインへのハンドオーバを実施することで、音声中断を回避する必要がある。
【０００４】
ＬＴＥネットワークから２Ｇ／３ＧネットワークのＣＳドメインへの先述のハンドオーバが実行される前に、通常、２Ｇ／３Ｇネットワークの信号品質がＬＴＥネットワークにおいて測定される必要がある、すなわち、ＲＡＴ間測定が実行される。これにより、ＬＴＥネットワークは、信号品質要件を満たす２Ｇ／３Ｇセルを選択する。現在、ＲＡＴ間測定は通常、ギャップ（ｇａｐ，  ＧＡＰ）モードで実施される。ＲＡＴ間測定がＧＡＰモードで実施されるとき、通常は６ｍｓの測定が４０ｍｓ／８０ｍｓのサイクルで実施される。この測定方式はサービスへの影響を回避し得るが、複数の２Ｇ／３Ｇ隣接セル、特に複数の２Ｇ隣接セルが存在するときは、ＲＡＴ間測定を完了するのに比較的長時間を費やす必要がある。結果として、通話ハンドオーバ準備時間が過度に長くなる。これにより、ＣＳＦＢ通話プロセスにおける音声セッションの中断、またはＶｏＬＴＥサービスの間の音声セッションの中断が生じる。
【発明の概要】
【０００５】
先行技術における先述の問題を解決すべく、本願発明の実施形態は、ＲＡＴ間測定方法ならびに関連する装置およびシステムを提供し、これにより測定時間が減少し、ＲＡＴ間測定が加速され、それにより通話ハンドオーバ準備時間が減少し、音声セッションの中断が回避される。
【０００６】
第１態様によると、本願発明の実施形態は、
ロングタームエボリューションＬＴＥネットワーク内に位置するユーザ機器ＵＥに対して回線交換フォールバックＣＳＦＢを実施するプロセスにおいて、またはＵＥにボイスオーバーロングタームエボリューションＶｏＬＴＥサービスを提供するプロセスにおいて、ＬＴＥネットワークから２Ｇまたは３Ｇネットワークの回線交換ＣＳドメインへのハンドオーバをＵＥがサポートすると進化型ノードＢ  ｅＮｏｄｅＢが判断する段階と、
ｅＮｏｄｅＢが、測定制御メッセージをＵＥへ送信する段階であって、測定制御メッセージは、第１接続間欠受信Ｃ−ＤＲＸパラメータと測定設定パラメータとを含み、第１Ｃ−ＤＲＸパラメータと測定設定パラメータとは、第１Ｃ−ＤＲＸサイクルの休止期間に２Ｇまたは３Ｇネットワークの信号品質を測定するようＵＥに命令するのに用いられる段階と
を備える、ＲＡＴ間測定方法を提案する。
【０００７】
第１態様を参照すると、第１態様の第１の可能な実装方式において、
第１Ｃ−ＤＲＸサイクルは第１Ｃ−ＤＲＸパラメータで判断され、第１Ｃ−ＤＲＸサイクルの休止期間の持続時間は５１ｍｓ以上である、または、第１Ｃ−ＤＲＸサイクルの休止期間の持続時間は１００ｍｓ以上である、または、第１Ｃ−ＤＲＸサイクルの休止期間の持続時間は８０ｍｓ以上である、または、第１Ｃ−ＤＲＸサイクルの休止期間の持続時間の、第１Ｃ−ＤＲＸサイクルの持続時間に対する比は、０．６より大きい、または、第１Ｃ−ＤＲＸサイクルの休止期間の持続時間の、第１Ｃ−ＤＲＸサイクルの持続時間に対する比は、０．８より大きい、または、第１Ｃ−ＤＲＸサイクルの休止期間の持続時間の、第１Ｃ−ＤＲＸサイクルの持続時間に対する比は、０．９より大きい。
【０００８】
第１態様または第１態様の第１の可能な実装方式を参照すると、第２の可能な実装方式において、
ｅＮｏｄｅＢが測定制御メッセージをＵＥへ送信する段階の前に、方法は、ｅＮｏｄｅＢが、第２Ｃ−ＤＲＸパラメータをＵＥへ送信する段階をさらに備える。
【０００９】
第１態様、または第１態様の第１の可能な実装方式もしくは第２の可能な実装方式を参照すると、第３の可能な実装方式において、
第１Ｃ−ＤＲＸサイクルの休止期間の持続時間は、第２Ｃ−ＤＲＸサイクルの休止期間の持続時間より長く、または、
第１Ｃ−ＤＲＸサイクルの休止期間の持続時間の、第１Ｃ−ＤＲＸサイクルの持続時間に対する比は、第２Ｃ−ＤＲＸサイクルの休止期間の持続時間の、第２Ｃ−ＤＲＸサイクルの持続時間に対する比より大きく、
第１Ｃ−ＤＲＸサイクルは第１Ｃ−ＤＲＸで判断され、第２Ｃ−ＤＲＸサイクルは第２Ｃ−ＤＲＸパラメータで判断される。
【００１０】
第２態様によると、本願発明の実施形態は、
ロングタームエボリューションＬＴＥネットワーク内に位置するユーザ機器ＵＥに対して進化型ノードＢ  ｅＮｏｄｅＢが回線交換フォールバックＣＳＦＢを実施するプロセスにおいて、またはｅＮｏｄｅＢがＵＥにボイスオーバーロングタームエボリューションＶｏＬＴＥサービスを提供するプロセスにおいて、ｅＮｏｄｅＢにより送信された測定制御メッセージをＵＥが受信する段階であって、測定制御メッセージは第１接続間欠受信Ｃ−ＤＲＸパラメータと測定設定パラメータとを含み、第１Ｃ−ＤＲＸパラメータと測定設定パラメータとは、第１Ｃ−ＤＲＸサイクルの休止期間に２Ｇまたは３Ｇネットワークの信号品質を測定するようＵＥに命令するのに用いられる段階と、
第１Ｃ−ＤＲＸサイクルの休止期間に２Ｇまたは３Ｇネットワークの信号品質をＵＥが測定する段階と
を備える、ＲＡＴ間測定方法を提供する。
【００１１】
第２態様を参照すると、第２態様の第１の可能な実装方式において、
第１Ｃ−ＤＲＸサイクルは第１Ｃ−ＤＲＸパラメータで判断され、第１Ｃ−ＤＲＸサイクルの休止期間の持続時間は５１ｍｓ以上である、または、第１Ｃ−ＤＲＸサイクルの休止期間の持続時間は１００ｍｓ以上である、または、第１Ｃ−ＤＲＸサイクルの休止期間の持続時間は８０ｍｓ以上である、または、第１Ｃ−ＤＲＸサイクルの休止期間の持続時間の、第１Ｃ−ＤＲＸサイクルの持続時間に対する比は、０．６より大きい、または、第１Ｃ−ＤＲＸサイクルの休止期間の持続時間の、第１Ｃ−ＤＲＸサイクルの持続時間に対する比は、０．８より大きい、または、第１Ｃ−ＤＲＸサイクルの休止期間の持続時間の、第１Ｃ−ＤＲＸサイクルの持続時間に対する比は、０．９より大きい。
【００１２】
第２態様または第２態様の第１の可能な実装方式を参照すると、第２の可能な実装方式において、
ｅＮｏｄｅＢにより送信された測定制御メッセージをＵＥが受信する段階の前に、方法は、ｅＮｏｄｅＢにより送信された第２Ｃ−ＤＲＸパラメータをＵＥが受信する段階をさらに備える。
【００１３】
第２態様、または第２態様の第１の可能な実装方式もしくは第２の可能な実装方式を参照すると、第３の可能な実装方式において、
第１Ｃ−ＤＲＸサイクルの休止期間の持続時間は、第２Ｃ−ＤＲＸサイクルの休止期間の持続時間より長く、または、
第１Ｃ−ＤＲＸサイクルの休止期間の持続時間の、第１Ｃ−ＤＲＸサイクルの持続時間に対する比は、第２Ｃ−ＤＲＸサイクルの休止期間の持続時間の、第２Ｃ−ＤＲＸサイクルの持続時間に対する比より大きく、
第１Ｃ−ＤＲＸサイクルは第１Ｃ−ＤＲＸで判断され、第２Ｃ−ＤＲＸサイクルは第２Ｃ−ＤＲＸパラメータで判断される。
【００１４】
第３態様によると、本願発明の実施形態は、
進化型ノードＢであって、
ロングタームエボリューションＬＴＥネットワーク内に位置するユーザ機器ＵＥに対して進化型ノードＢが回線交換フォールバックＣＳＦＢを実施するプロセスにおいて、または進化型ノードＢがＵＥにボイスオーバーロングタームエボリューションＶｏＬＴＥサービスを提供するプロセスにおいて、ＬＴＥネットワークから２Ｇまたは３Ｇネットワークの回線交換ＣＳドメインへのハンドオーバをＵＥがサポートすると判断するよう構成された判断ユニットと、
測定制御メッセージをＵＥへ送信するよう構成されたインタラクションユニットであって、測定制御メッセージは、第１接続間欠受信Ｃ−ＤＲＸパラメータと測定設定パラメータとを含み、第１Ｃ−ＤＲＸパラメータと測定設定パラメータとは、第１Ｃ−ＤＲＸサイクルの休止期間に２Ｇまたは３Ｇネットワークの信号品質を測定するようＵＥに命令するのに用いられる、インタラクションユニットと
を備える、進化型ノードＢを提案する。
【００１５】
第４態様によると、本願発明の実施形態は、
ユーザ機器であって、
ユーザ機器に対して進化型ノードＢ  ｅＮｏｄｅＢが回線交換フォールバックＣＳＦＢを実施するプロセスにおいて、またはｅＮｏｄｅＢがユーザ機器にボイスオーバーロングタームエボリューションＶｏＬＴＥサービスを提供するプロセスにおいて、ｅＮｏｄｅＢにより送信された測定制御メッセージを受信するよう構成されたインタラクションユニットであって、測定制御メッセージは第１接続間欠受信Ｃ−ＤＲＸパラメータと測定設定パラメータとを含み、第１Ｃ−ＤＲＸパラメータと測定設定パラメータとは、第１Ｃ−ＤＲＸサイクルの休止期間に２Ｇまたは３Ｇネットワークの信号品質を測定するようユーザ機器に命令するのに用いられる、インタラクションユニットと、
第１Ｃ−ＤＲＸサイクルの休止期間に２Ｇまたは３Ｇネットワークの信号品質を測定するよう構成された処理ユニットと
を備える、ユーザ機器を提案する。
【００１６】
第５態様によると、本願発明の実施形態は、第３態様に記載の進化型ノードＢと、第４態様に記載のユーザ機器とを備える、測定システムを提案する。
【００１７】
本願発明の実施形態は、ＲＡＴ間測定方法ならびに関連する装置およびシステムを提供する。進化型ノードＢ  ｅＮｏｄｅＢは、ＬＴＥネットワークから２Ｇまたは３ＧネットワークのＣＳドメインへのハンドオーバをＵＥがサポートすると判断したとき、測定制御メッセージをＵＥへ送信し得る。測定制御メッセージは、第１接続間欠受信（Ｃｏｎｎｅｃｔｅｄ−Ｄｉｓｃｏｎｔｉｎｕｏｕｓ  Ｒｅｃｅｐｔｉｏｎ，  Ｃ−ＤＲＸ）パラメータと測定制御パラメータとを搬送し、第１Ｃ−ＤＲＸパラメータと測定制御パラメータとは、第１Ｃ−ＤＲＸサイクルの休止期間に２Ｇまたは３Ｇネットワークの信号品質を測定するようＵＥに命令するのに用いられる。このように、ＵＥは、第１Ｃ−ＤＲＸサイクルの休止期間に２Ｇまたは３Ｇネットワークの信号品質を継続して測定でき、これにより４０ｍｓ／８０ｍｓのサイクルで６ｍｓのみの測定を実施することが回避され、すなわち、ＧＡＰモードで測定を実施することが回避され、測定プロセスが加速され、測定時間が短縮され、それにより通話ハンドオーバ準備時間が効果的に減少し、ＣＳＦＢ通話プロセスにおける音声セッションの中断、またはＶｏＬＴＥサービスの間の音声セッションの中断が回避される。
【図面の簡単な説明】
【００１８】
本願発明の実施形態における技術的解決法をより明確に説明するべく、以下では、実施形態を説明するのに必要な添付図面を簡潔に提示する。以下の説明における添付図面が、単に本願発明のいくつかの実施形態を示すものであることは明らかであるが、当業者であれば、創造的な努力なしにこれらの添付図面から他の図面をさらに導き出し得る。
【００１９】
【図１】本願発明の実施形態に従ったＲＡＴ間測定方法のフローチャートである。
【００２０】
【図２】本願発明の実施形態に従った他のＲＡＴ間測定方法のフローチャートである。
【００２１】
【図３Ａ】本願発明の実施形態に従った他のＲＡＴ間測定方法のフローチャートである。
【図３Ｂ】本願発明の実施形態に従った他のＲＡＴ間測定方法のフローチャートである。
【００２２】
【図４】本願発明の実施形態に従った進化型ノードＢの模式図である。
【００２３】
【図５】本願発明の実施形態に従ったユーザ機器の模式図である。
【００２４】
【図６】本願発明の実施形態に従ったＲＡＴ間測定装置の構造的構成の模式図である。
【００２５】
【図７】本願発明の実施形態に従った測定システムの模式図である。
【発明を実施するための形態】
【００２６】
本願発明の実施形態は、ＲＡＴ間測定方法ならびに関連する装置およびシステムを提供し、これによりＲＡＴ間測定が加速され、測定時間が減少し、それにより通話ハンドオーバ準備時間が減少し、音声セッションの中断が回避される。本願発明の実施形態はさらに、対応するデバイスおよびシステムを提供する。
【００２７】
本願発明の実施形態において、「第１」、「第２」、「第３」、「第４」、「第５」等は、順序の関係を表すのではなく、異なるインジケーション情報、メッセージ、または他のオブジェクトを区別するためのみに用いられる。
【００２８】
本願発明の実施形態をより明確に説明するため、本願発明の実施形態に関連するいくつかの知見をまず説明する。
【００２９】
Ｃ−ＤＲＸについて：通信ネットワークにおいて、パケットに基づくデータストリームは概して予期されない。データ送信がないとき、ＵＥの受信回線を無効化することにより電力消費が減少し得、これによりバッテリ寿命が向上する。これが接続間欠受信（Ｃｏｎｎｅｃｔｅｄ−Ｄｉｓｃｏｎｔｉｎｕｏｕｓ  Ｒｅｃｅｐｔｉｏｎ，  Ｃ−ＤＲＸ）の根本である。Ｃ−ＤＲＸの基本的なメカニズムは、ＲＲＣ＿ＣＯＮＮＥＣＴＥＤ状態にあるＵＥのためにＣ−ＤＲＸサイクル（Ｃｏｎｎｅｃｔｅｄ−Ｄｉｓｃｏｎｔｉｎｕｏｕｓ  Ｒｅｃｅｐｔｉｏｎ  Ｃｙｃｌｅ）を設定することである。Ｃ−ＤＲＸサイクルは、「Ｏｎ  Ｄｕｒａｔｉｏｎ」と「Ｏｐｐｏｒｔｕｎｉｔｙ  ｆｏｒ  ＤＲＸ」とを含む。「Ｏｎ  Ｄｕｒａｔｉｏｎ」の時間の間（すなわち、アクティベーション期間の間）、ＵＥは、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ，  ＰＤＣＣＨ）のデータをリッスンおよび受信することが可能となる。「Ｏｐｐｏｒｔｕｎｉｔｙ  ｆｏｒ  ＤＲＸ」の時間の間（すなわち、休止期間の間）、ＵＥは、物理ダウンリンク制御チャネルのデータを受信せず、これにより電力消費が減少する。
【００３０】
ＶｏＬＴＥについて：既存の２Ｇ／３ＧコアネットワークはＰＳドメインおよびＣＳドメインを含み、音声サービスおよび他のＣＳ補助サービスはＣＳドメインによりサポートされる。ＬＴＥコアネットワークは、ＣＳドメインを含まずにＰＳドメインのみを含み、よって進化型パケットシステム（Ｅｖｏｌｖｅｄ  Ｐａｃｋｅｔ  Ｓｙｓｔｅｍ，  ＥＰＳ）と称される。音声サービスを提供するには、ＬＴＥネットワークは、ＩＰマルチメディアサブシステム（ＩＰ  Ｍｕｌｔｉｍｅｄｉａ  Ｓｕｂｓｙｓｔｅｍ，  ＩＭＳ）を含む必要があり、ＩＭＳは、セッション制御層に存在する。よって、ＬＴＥ／ＥＰＳシステムにおける音声サービスは、ＶｏＬＴＥサービスまたはＩＭＳボイスオーバーＩＰ（ｖｏｉｃｅ  ｏｖｅｒ  ＩＰ，  ＶｏＩＰ）サービスと称される。
【００３１】
ＲＡＴ間測定とは、ネットワークシステム内に位置するＵＥが他のネットワークシステムの信号品質を測定すること、例えば、ＬＴＥネットワーク内に位置するＵＥが２Ｇ／３Ｇネットワークの信号品質を測定することを意味する。ＲＡＴ間測定は通常、ネットワークハンドオーバの前に実施される。先行技術では、ＵＥは通常、ＲＡＴ間測定をＧＡＰモードで実施し、すなわち、６ｍｓの測定が４０ｍｓ／８０ｍｓの各サイクルで実施され、これによりサービスへの影響が回避される。しかし、複数の２Ｇ／３Ｇ隣接セルに対して、特に、複数の２Ｇ隣接セルに対して、ＲＡＴ間測定は、比較的長い測定時間を必要とする。先行技術の測定方式では、ＲＡＴ間測定を完了するのに４０ｍｓ／８０ｍｓの複数のサイクルを費やす必要があり得る。結果として、通話ハンドオーバ準備時間が過度に長くなる。これにより、ＣＳＦＢ通話プロセスにおける音声セッションの中断、またはＵＥにより実施されるＶｏＬＴＥサービスの間の音声セッションの中断が生じる。
【００３２】
本願発明の実施形態は、ＲＡＴ間測定方法ならびに関連する装置およびシステムを提案する。進化型ノードＢ（ｅｖｏｌｖｅｄ  ＮｏｄｅＢ，  ｅＮｏｄｅＢ）によりＬＴＥネットワーク内に位置するＵＥへ送信される測定制御メッセージは、Ｃ−ＤＲＸパラメータと測定制御パラメータとを含み得る。Ｃ−ＤＲＸパラメータと測定制御パラメータとは、Ｃ−ＤＲＸサイクルの休止期間に２Ｇ／３Ｇネットワークの信号品質を継続的に測定するようＵＥに命令し得る。例えば、Ｃ−ＤＲＸサイクルは、Ｃ−ＤＲＸパラメータで判断され得る。Ｃ−ＤＲＸパラメータは、以下の方式で設定され得る。Ｃ−ＤＲＸサイクル全体において、アクティベーション期間の時間の長さは、時間の長さがゼロより長いときに可能な限り短く、休止期間の時間の長さは、時間の長さがＣ−ＤＲＸサイクルの持続時間より短いときに可能な限り長い。これにより、ＵＥは、Ｃ−ＤＲＸサイクルの休止期間に比較的長時間留まって、２Ｇ／３Ｇネットワークの信号品質を継続的に測定し得る。先述の方式において、ＬＴＥネットワーク内に位置するＵＥにより実施される２Ｇ／３Ｇネットワークの信号品質の測定は効果的に加速され、測定時間は短縮され、先行技術におけるＧＡＰモードで実施されるＲＡＴ間測定により引き起こされる過度に長い通話ハンドオーバ準備時間または音声セッションの中断の問題が解決される。
【００３３】
以下では、本願発明の実施形態の添付図面を参照して、本願発明の実施形態における技術的解決法を明確かつ完全に説明する。
【００３４】
図１を参照すると、図１は、本願発明の実施形態に従ったＲＡＴ間測定方法である。方法は、以下の段階を備える。
【００３５】
Ｓ１０１。ｅＮｏｄｅＢは、ＬＴＥネットワークから２Ｇまたは３ＧネットワークのＣＳドメインへのハンドオーバをＵＥがサポートすると判断する。
【００３６】
ｅＮｏｄｅＢはまず、ＬＴＥネットワークから２Ｇまたは３ＧネットワークのＣＳドメインへのハンドオーバをＵＥがサポートするかを判断し得る。ＬＴＥネットワークから２Ｇまたは３ＧネットワークのＣＳドメインへのハンドオーバをＵＥがサポートする場合、２Ｇまたは３Ｇネットワークの信号品質がハンドオーバの前に測定される必要がある。
【００３７】
例えば、ＬＴＥネットワーク内に位置するＵＥに対して回線交換フォールバックＣＳＦＢを実施するプロセスにおいて、ＵＥがＬＴＥネットワークから２Ｇまたは３ＧネットワークのＣＳドメインへハンドオーバされる前に、ｅＮｏｄｅＢは、ＬＴＥネットワークから２Ｇまたは３ＧネットワークのＣＳドメインへのハンドオーバをＵＥがサポートするかを判断し得る。または、ＵＥにＶｏＬＴＥサービスを提供するプロセスにおいて、ＵＥがＬＴＥネットワークから２Ｇまたは３ＧネットワークのＣＳドメインへハンドオーバされる前に、ｅＮｏｄｅＢは、ＬＴＥネットワークから２Ｇまたは３ＧネットワークのＣＳドメインへのハンドオーバをＵＥがサポートするかを判断し得る。
【００３８】
Ｓ１０２。ｅＮｏｄｅＢが、測定制御メッセージをＵＥヘ送信する。測定制御メッセージは、第１Ｃ−ＤＲＸパラメータと測定設定パラメータとを含み、第１Ｃ−ＤＲＸパラメータと測定設定パラメータとは、第１Ｃ−ＤＲＸサイクルの休止期間に２Ｇまたは３Ｇネットワークの信号品質を測定するようＵＥに命令するのに用いられる。
【００３９】
測定制御メッセージは、無線リソース制御接続再構成（ＲＲＣ  Ｃｏｎｎｅｃｔｉｏｎ  Ｒｅｃｏｎｆｉｇｕｒａｔｉｏｎ）メッセージであり得る。測定制御メッセージは、第１Ｃ−ＤＲＸパラメータと測定設定パラメータとを含むので、ＵＥは、第１Ｃ−ＤＲＸパラメータと、測定設定パラメータの命令とに従って、第１Ｃ−ＤＲＸサイクルの休止期間に２Ｇまたは３Ｇネットワークの信号品質を継続的に測定し得る。
【００４０】
具体的に、測定設定パラメータは、２Ｇまたは３Ｇネットワークの信号品質を測定するのに必要な関連情報を含み得る。例えば、測定設定パラメータは、ＵＥが測定する必要があるオブジェクト、セルリスト、報告方式、測定識別子、イベントパラメータ等を含み得る。第１Ｃ−ＤＲＸサイクルは、第１Ｃ−ＤＲＸパラメータで判断され得、第１Ｃ−ＤＲＸサイクルは、休止期間とアクティベーション期間とを含み得る。第１Ｃ−ＤＲＸサイクルの休止期間において、ＵＥは、物理ダウンリンク制御チャネルのデータを受信しない。第１Ｃ−ＤＲＸサイクルのアクティベーション期間において、ＵＥは、物理ダウンリンク制御チャネルのデータをリッスンおよび受信する。測定制御メッセージが測定設定パラメータと第１Ｃ−ＤＲＸパラメータとを含むとき、測定制御メッセージは、第１Ｃ−ＤＲＸサイクルの休止期間に２Ｇまたは３Ｇネットワークの信号品質を測定するようＵＥに命令するのに用いられ得る。すなわち、測定設定パラメータと第１Ｃ−ＤＲＸパラメータとは、第１Ｃ−ＤＲＸサイクルの休止期間に２Ｇまたは３Ｇネットワークの信号品質を測定するようＵＥに命令するのに用いられる。先述の方式において、ＵＥは、第１Ｃ−ＤＲＸサイクル全体の休止期間に２Ｇまたは３Ｇネットワークの信号品質を継続的に測定し得、これにより４０ｍｓ／８０ｍｓのサイクルで６ｍｓのみの測定を実施することが回避され、すなわち、ＧＡＰモードで測定を実施することが回避され、測定プロセスが加速され、測定時間が短縮され、それにより通話ハンドオーバ準備時間が効果的に減少し、ＣＳＦＢ通話プロセスにおける音声セッションの中断、またはＶｏＬＴＥサービスの間の音声セッションの中断が回避される。
【００４１】
オプションで、第１Ｃ−ＤＲＸパラメータと測定設定パラメータとは、第１Ｃ−ＤＲＸサイクルのアクティベーション期間にＧＡＰモードで２Ｇまたは３Ｇネットワークの信号品質を測定するようＵＥに命令するのにさらに用いられ得る。
【００４２】
さらに、第１Ｃ−ＤＲＸサイクルは、第１Ｃ−ＤＲＸパラメータで判断され得る。よって、ＵＥがＲＡＴ間測定を継続的に実施する時間は、第１Ｃ−ＤＲＸパラメータを調整することにより調整され得る。具体的に、第１Ｃ−ＤＲＸパラメータは、以下の方式で設定され得る。第１Ｃ−ＤＲＸサイクル全体において、アクティベーション期間の持続時間（すなわち、アクティベーション期間の時間の長さ）は、持続時間がゼロより長いときに可能な限り短く、休止期間の持続時間（すなわち、休止期間の時間の長さ）は、持続時間が第１Ｃ−ＤＲＸサイクルの持続時間より短いときに可能な限り長い。これにより、ＵＥは、第１Ｃ−ＤＲＸサイクルの休止期間に比較的長時間留まって、第１Ｃ−ＤＲＸサイクルの休止期間に２Ｇ／３Ｇネットワークの信号品質を継続的に測定し得、これによりＲＡＴ間測定が大幅に加速される。
【００４３】
例えば、第１Ｃ−ＤＲＸサイクルの休止期間の持続時間Ｔ１ｓは、５１ｍｓ以上であり得る。オプションで、Ｔ１ｓは、８０ｍｓ以上であり得る、または１００ｍｓ以上であり得る。これにより、ＵＥは、１つの休止期間でＲＡＴ間測定を完了し得る。他の例では、第１Ｃ−ＤＲＸサイクルの休止期間の持続時間Ｔ１ｓの、第１Ｃ−ＤＲＸサイクルの持続時間Ｔ１ｄに対する比は、０．６より大きい（すなわち、Ｔ１ｓ／Ｔ１ｄ＞６０％）。オプションで、Ｔ１ｓ／Ｔ１ｄは、０．８より大きい、または０．９より大きい。これにより、休止期間の持続時間は、持続時間がサイクルの持続時間より短いときに可能な限り長いことが確実になる。これにより、ＵＥは、Ｃ−ＤＲＸサイクルを効果的に用いて測定を実施し得、それによりＲＡＴ間測定が加速される。
【００４４】
オプションで、段階Ｓ１０２の前に、方法は段階Ｓ１００をさらに備え得る。
【００４５】
Ｓ１００。ｅＮｏｄｅＢが、第２Ｃ−ＤＲＸパラメータをＵＥへ送信する。
【００４６】
電力消費を減少させるべく、または他の目的で、ｅＮｏｄｅＢは、第２Ｃ−ＤＲＸパラメータをＵＥへ送信し、Ｃ−ＤＲＸパラメータは、ＵＥのために第２Ｃ−ＤＲＸサイクルを設定するのに用いられる。第２Ｃ−ＤＲＸサイクルは、アクティベーション期間と休止期間とを含み得る。第２Ｃ−ＤＲＸサイクルの休止期間において、ＵＥは、物理ダウンリンク制御チャネルのデータを受信せず、これにより電力消費が減少する。第２Ｃ−ＤＲＸサイクルは、第２Ｃ−ＤＲＸパラメータで判断され得る。
【００４７】
オプションで、ＵＥにより実施される通常のサービスが影響を受けることを防止するべく、送信される第２Ｃ−ＤＲＸパラメータは、以下のように設定され得る。第２Ｃ−ＤＲＸサイクルの休止期間の持続時間は比較的短い、または、第２Ｃ−ＤＲＸサイクルの休止期間の持続時間の、第２Ｃ−ＤＲＸサイクルの持続時間に対する比は比較的小さい。例えば、第２Ｃ−ＤＲＸサイクルの持続時間は１６０ｍｓに設定され得、休止期間の持続時間は５０ｍｓに設定され得る。よって、第１Ｃ−ＤＲＸパラメータは、以下のように設定され得る。同じ時間内で、ＵＥがＲＡＴ間測定を継続的に実施できる時間が増加し、ＲＡＴ間測定に費やされる時間が減少し、ＲＡＴ間測定が加速されるように、ＵＥが第１Ｃ−ＤＲＸサイクルの休止期間に留まる時間は、ＵＥが第２Ｃ−ＤＲＸサイクルの休止期間に留まる時間より長い。例えば、第１Ｃ−ＤＲＸサイクルの休止期間の持続時間は、第２Ｃ−ＤＲＸサイクルの休止期間の持続時間より長くなり得る。または、第１Ｃ−ＤＲＸサイクルの休止期間の持続時間の、第１Ｃ−ＤＲＸサイクルの持続時間に対する比は、第２Ｃ−ＤＲＸサイクルの休止期間の持続時間の、第２Ｃ−ＤＲＸサイクルの持続時間に対する比より大きくなり得る。
【００４８】
さらに、方法は、以下の段階をさらに備え得る。
【００４９】
Ｓ１０３。ｅＮｏｄｅＢが、ＵＥによって返される測定報告を受信する。
【００５０】
測定報告は、ＵＥが２Ｇまたは３Ｇネットワークの信号品質を測定することにより取得される測定結果を含み得る。
【００５１】
オプションで、ｅＮｏｄｅＢは、測定報告に従って、ＬＴＥネットワークから２Ｇまたは３ＧネットワークのＣＳドメインへのハンドオーバを実行するよう判断し得る。段階Ｓ１０４が実施される。
【００５２】
Ｓ１０４。測定報告を受信した後、ｅＮｏｄｅＢが、ハンドオーバ要請（Ｈａｎｄｏｖｅｒ  Ｒｅｑｕｉｒｅｄ）メッセージをモビリティ管理エンティティ（Ｍｏｂｉｌｅ  Ｍａｎａｇｅｎｍｅｎｔ  Ｅｎｔｉｔｙ，  ＭＭＥ）へ送信して、ＬＴＥネットワークから２Ｇまたは３ＧネットワークのＣＳドメインへのハンドオーバのプロセスをトリガする。
【００５３】
しかし、先述のハンドオーバのプロセスが失敗した場合、ＵＥは、まだＣ−ＤＲＸステータスにあり、第１Ｃ−ＤＲＸサイクルの休止期間に比較的長時間留まり得る。これは、通常のサービスに影響を与える。この問題を解決するべく、方法は、以下の段階をさらに備え得る。
【００５４】
Ｓ１０５。ｅＮｏｄｅＢが、ハンドオーバのプロセスが失敗したと判断する。
【００５５】
Ｓ１０６。ｅＮｏｄｅＢが、第２Ｃ−ＤＲＸパラメータをＵＥヘ送信する、または要求メッセージをＵＥヘ送信する。要求メッセージは、ＵＥのＣ−ＤＲＸ機能を無効化するようＵＥに命令するのに用いられる。
【００５６】
ハンドオーバのプロセスが失敗したと判断したとき、ｅＮｏｄｅＢは、第２Ｃ−ＤＲＸパラメータをＵＥヘ送信することにより、ＲＡＴ間測定が実施される前にＵＥがＣ−ＤＲＸステータスに戻ることを可能にし得る。これにより、ＵＥが電力消費を減少させつつ通常のサービスを実施することが確実になる。あるいは、ｅＮｏｄｅＢは、ＵＥのＣ−ＤＲＸ機能を無効化するようＵＥに命令する要求メッセージをＵＥヘ送信し得る。これにより、ＵＥのＣ−ＤＲＸ機能が無効化され、サービスへの影響が回避される。
【００５７】
加えて、Ｓ１０３において、ｅＮｏｄｅＢが、ＵＥによって返された測定報告を受信し、ＬＴＥネットワークから２Ｇまたは３ＧネットワークのＣＳドメインへのハンドオーバを実行しないよう測定報告に従って判断した場合、ｅＮｏｄｅＢは、第２Ｃ−ＤＲＸパラメータをＵＥヘ送信する、または要求メッセージをＵＥヘ送信し得る。要求メッセージは、ＵＥのＣ−ＤＲＸ機能を無効化するようＵＥに命令するのに用いられる。
【００５８】
本実施形態において、ｅＮｏｄｅＢとＵＥとの間のインタラクションおよびｅＮｏｄｅＢの先述の処理段階の詳細な説明については、以下の他の方法の実施形態を参照されたい。
【００５９】
本願発明の実施形態は、ＲＡＴ間測定方法を提供する。方法は、以下の段階を備える。
【００６０】
Ｓ２０１。ＬＴＥネットワーク内に位置するＵＥが、ｅＮｏｄｅＢにより送信された測定制御メッセージを受信する。測定制御メッセージは、第１Ｃ−ＤＲＸパラメータと測定設定パラメータとを搬送し、第１Ｃ−ＤＲＸパラメータと測定設定パラメータとは、第１Ｃ−ＤＲＸサイクルの休止期間に２Ｇまたは３Ｇネットワークの信号品質を測定するようＵＥに命令するのに用いられる。
【００６１】
例えば、ＬＴＥネットワーク内に位置するＵＥに対して進化型ノードＢ  ｅＮｏｄｅＢがＣＳＦＢを実施するプロセスにおいて、またはｅＮｏｄｅＢがＵＥにＶｏＬＴＥサービスを提供するプロセスにおいて、ＵＥは、ｅＮｏｄｅＢにより送信された測定制御メッセージを受信する。測定制御メッセージは、無線リソース制御接続再構成（ＲＲＣ  Ｃｏｎｎｅｃｔｉｏｎ  Ｒｅｃｏｎｆｉｇｕｒａｔｉｏｎ）メッセージであり得る。
【００６２】
オプションで、段階Ｓ２０１の前に、ＵＥは、ｅＮｏｄｅＢにより送信された第２Ｃ−ＤＲＸパラメータを受信し得、第２Ｃ−ＤＲＸパラメータは、ＵＥが第２Ｃ−ＤＲＸサイクルを判断するのに用いられ、すなわち、ＵＥは、第２Ｃ−ＤＲＸサイクルを設定され得る。ＵＥは、第２Ｃ−ＤＲＸサイクルの休止期間に物理ダウンリンク制御チャネルのデータを受信しなくてよく、これにより電力消費が減少し、ＵＥのバッテリ寿命が向上する。
【００６３】
第１Ｃ−ＤＲＸパラメータについての具体的な情報、および測定設定パラメータについての具体的な情報については、他の方法の実施形態を参照されたく、本願発明の本実施形態では詳細は説明されていない。
【００６４】
Ｓ２０２。ＵＥが、第１Ｃ−ＤＲＸサイクルの休止期間に２Ｇまたは３Ｇネットワークの信号品質を測定する。
【００６５】
２Ｇまたは３Ｇネットワークの信号品質に対して実施される測定は、２Ｇまたは３Ｇネットワークの参照信号受信電力（ＲＳＲＰ）または参照信号受信品質（ＲＳＲＱ）に対して実施される測定であり得る。
【００６６】
測定制御メッセージは、第１Ｃ−ＤＲＸパラメータと測定制御パラメータとを含むので、ＵＥは、第１Ｃ−ＤＲＸパラメータと測定設定パラメータの命令とに従って、または測定制御メッセージの命令に従って第１Ｃ−ＤＲＸサイクルの休止期間に２Ｇまたは３Ｇネットワークの信号品質を継続的に測定し得、これによりＧＡＰモードで測定を実施することが回避され、測定プロセスが加速され、測定時間が短縮される。さらに、第１Ｃ−ＤＲＸサイクルは、第１Ｃ−ＤＲＸパラメータで判断され得、第１Ｃ−ＤＲＸパラメータは、以下の方式で設定され得る。第１Ｃ−ＤＲＸサイクル全体において、アクティベーション期間の持続時間（すなわち、アクティベーション期間の時間の長さ）は、持続時間がゼロより大きいときに可能な限り短く、休止期間の持続時間（すなわち、休止期間の時間の長さ）は、持続時間が第１Ｃ−ＤＲＸサイクルの持続時間より短いときに可能な限り長く、これにより、ＵＥは、第１Ｃ−ＤＲＸサイクルの休止期間に比較的長時間留まって、第１Ｃ−ＤＲＸサイクル全体の休止期間に２Ｇ／３Ｇネットワークの信号品質を継続的に測定し、これによりＲＡＴ間測定が大幅に加速される。
【００６７】
オプションで、ＵＥがアップリンクデータを送信したとき、ＵＥは、Ｃ−ＤＲＸサイクルの休止期間を抜けるよう強いられ得る。よって、測定制御メッセージを受信した後、ＵＥは、アップリンクデータの送信を停止または一時停止し得る。例えば、測定制御メッセージは、アップリンクデータの送信を停止または一時停止するようＵＥに命令するのに用いられる命令情報を搬送し得る。測定制御メッセージを受信した後、ＵＥは、命令情報に従ってアップリンクデータの送信を停止または一時停止し得る。他の例として、測定制御メッセージを受信した後、ＵＥは、アップリンクデータの送信を自動的に停止または一時停止し得る。
【００６８】
Ｓ２０３。  ＵＥが、２Ｇまたは３Ｇネットワークの信号品質を測定することにより取得された測定結果に従って測定報告を生成し、ＵＥが、測定報告をｅＮｏｄｅＢへ送信する。
【００６９】
オプションで、測定報告をｅＮｏｄｅＢへ送信した、または２Ｇまたは３Ｇネットワークの信号品質の測定を完了した後に、ＵＥはアップリンクデータの送信に戻り得る。
【００７０】
概して、ＲＡＴ間測定が完了した後、ハンドオーバ手順に入り得、方法は以下の段階をさらに備え得る。
【００７１】
Ｓ２０４。  ＵＥが、ｅＮｏｄｅＢにより送信されたハンドオーバコマンドを受信する。ハンドオーバコマンドは、ＬＴＥネットワークから２Ｇまたは３ＧネットワークのＣＳドメインへハンドオーバされるようＵＥに命令するのに用いられ、ハンドオーバコマンドは、ＬＴＥネットワークから２Ｇまたは３ＧネットワークのＣＳドメインへのＵＥのハンドオーバに２Ｇまたは３Ｇネットワークにより割り当てられたＣＳドメイン無線リソースについての情報を含み、ＵＥは、ハンドオーバコマンドに従って、ＬＴＥネットワークから２Ｇまたは３ＧネットワークのＣＳドメインへハンドオーバされる。
【００７２】
しかし、ＬＴＥネットワークから２Ｇまたは３ＧネットワークのＣＳドメインへのハンドオーバが失敗した場合、または、ＬＴＥネットワークから２Ｇまたは３ＧネットワークのＣＳドメインへのハンドオーバを実行しないようｅＮｏｄｅＢが判断した場合、ｅＮｏｄｅＢは、ハンドオーバコマンドを送信しなくてよく、方法は以下の段階をさらに備え得る。
【００７３】
Ｓ２０４ａ'。  ＵＥが、ｅＮｏｄｅＢにより送信された第２Ｃ−ＤＲＸパラメータを受信し、第２Ｃ−ＤＲＸパラメータに従って、ＵＥが、ＲＡＴ間測定が実施される前にＣ−ＤＲＸステータスに戻る。
【００７４】
オプションで、方法は以下の段階をさらに備え得る。
【００７５】
Ｓ２０４ｂ'。  ＵＥが、ｅＮｏｄｅＢにより送信された要求メッセージを受信する。要求メッセージは、ＵＥのＣ−ＤＲＸ機能を無効化するようＵＥに命令するのに用いられる。
【００７６】
段階Ｓ２０４ａ'または段階Ｓ２０４ｂ'により、不要なＲＡＴ間測定（例えば、ハンドオーバが失敗した後のもの）が減少し得、サービスへの影響が減少し得、それによりユーザ体験が向上する。
【００７７】
本実施形態において、ｅＮｏｄｅＢとＵＥとの間のインタラクションおよびＵＥの先述の処理段階の詳細な説明については、以下の他の方法の実施形態を参照されたい。
【００７８】
本願発明の実施形態は、ｅＮｏｄｅＢがＵＥに対して回線交換フォールバックＣＳＦＢを実施するプロセスにおいて、ＬＴＥネットワーク内に位置するＵＥがＲＡＴ間測定を実施する必要があるシナリオに適用され得るＲＡＴ間測定方法を提供する。方法は、以下の段階を備え得る。
【００７９】
Ｓ３００。ｅＮｏｄｅＢが、ＬＴＥネットワーク内に位置するＵＥへ第２Ｃ−ＤＲＸパラメータを送信する。
【００８０】
ＵＥがＬＴＥネットワークにアタッチされた後、ｅＮｏｄｅＢは、第２Ｃ−ＤＲＸパラメータをＵＥへ送信し得、これにより、ＵＥは電力消費が減少する。第２Ｃ−ＤＲＸパラメータは、ＵＥのために第２Ｃ−ＤＲＸサイクルを設定するのに用いられる。
【００８１】
Ｓ３０１。  ＵＥが、第２Ｃ−ＤＲＸパラメータに従って第２Ｃ−ＤＲＸサイクルのアクティベーション期間にＰＤＣＣＨのデータをリッスンおよび受信し、第２Ｃ−ＤＲＸサイクルの休止期間にＰＤＣＣＨのデータを受信しない。第２Ｃ−ＤＲＸサイクルは、第２Ｃ−ＤＲＸパラメータで判断される。
【００８２】
第２Ｃ−ＤＲＸパラメータを受信したとき、ＵＥは、第２Ｃ−ＤＲＸサイクルの休止期間またはアクティベーション期間に留まり得る。
【００８３】
Ｓ３０２。ＵＥが、要求メッセージをＭＭＥヘ送信する。要求メッセージは、ＣＳＦＢを要求するのに用いられる。
【００８４】
Ｓ３０３。ＭＭＥが、通知メッセージをｅＮｏｄｅＢへ送信する。通知メッセージは、ＣＳＦＢのためにＬＴＥネットワークから２Ｇまたは３Ｇネットワークの回線交換ＣＳドメインへＵＥをハンドオーバするようｅＮｏｄｅＢに命令するのに用いられる。
【００８５】
Ｓ３０４。ｅＮｏｄｅＢが、ＬＴＥネットワークから２Ｇまたは３ＧネットワークのＣＳドメインへのハンドオーバをＵＥがサポートすると判断する。
【００８６】
具体的に、ｅＮｏｄｅＢは、ＬＴＥネットワークから２Ｇまたは３ＧネットワークのＣＳドメインへのハンドオーバをＵＥがサポートするかを、ＵＥにより報告される特徴グループインジケータ（Ｆｅａｔｕｒｅ  Ｇｒｏｕｐ  Ｉｎｄｉｃａｔｏｒ，  ＦＧＩ）機能に従って判断し得る。ＬＴＥネットワークから２Ｇまたは３ＧネットワークのＣＳドメインへのハンドオーバをＵＥがサポートすると判断された場合、ＵＥは、ＲＡＴ間測定を実施するよう命令され、これによりハンドオーバが実施される。
【００８７】
ＬＴＥネットワークから２Ｇまたは３ＧネットワークのＣＳドメインへのハンドオーバをＵＥがサポートするかをどのように判断するかについては、複数の実装方式がある。本願発明の本実施形態は、ここでは何ら制限を設けない。
【００８８】
Ｓ３０５。ｅＮｏｄｅＢが、無線リソース制御接続再構成メッセージをＵＥヘ送信する。無線リソース制御接続再構成メッセージは、第１Ｃ−ＤＲＸパラメータと測定パラメータとを搬送し、第１Ｃ−ＤＲＸパラメータと測定設定パラメータとは、第１Ｃ−ＤＲＸサイクルの休止期間に２Ｇまたは３Ｇネットワークの信号品質を測定するようＵＥに命令するのに用いられる。
【００８９】
第１Ｃ−ＤＲＸパラメータと測定設定パラメータとは、第１Ｃ−ＤＲＸサイクルの休止期間に２Ｇまたは３Ｇネットワークの信号品質を測定するようＵＥに命令するのに用いられ、すなわち、無線リソース制御接続再構成メッセージは、第１Ｃ−ＤＲＸサイクルにおいて２Ｇまたは３Ｇネットワークの信号品質を測定するようＵＥに命令するのに用いられる。
【００９０】
測定パラメータは、２Ｇまたは３Ｇネットワークの信号品質を測定するのに必要な関連情報を含み得る。ＵＥは、測定設定パラメータに従って、ＵＥ自体に対して測定設定を実施し得る。例えば、測定設定パラメータは、ＵＥが測定する必要があるオブジェクト、セルリスト、報告方式、測定識別子、またはイベントパラメータなどの情報を含み得る。さらに、３ＧＰＰ規格を参照されたい。
【００９１】
第１Ｃ−ＤＲＸパラメータは、以下の方式で設定され得る。同じ時間内で、ＵＥがＲＡＴ間測定を継続的に実施できる時間が増加し、ＲＡＴ間測定に費やされる時間が減少し、ＲＡＴ間測定が加速されるように、ＵＥが第１Ｃ−ＤＲＸサイクルの休止期間に留まる時間は、ＵＥが第２Ｃ−ＤＲＸサイクルの休止期間に留まる時間より長い。例えば、第１Ｃ−ＤＲＸサイクルの休止期間の持続時間Ｔ１ｓは、第２Ｃ−ＤＲＸサイクルの休止期間の持続時間Ｔ２ｓより長くなり得る。または、第１Ｃ−ＤＲＸサイクルの休止期間の持続時間の、第１Ｃ−ＤＲＸサイクルの持続時間に対する比は、第２Ｃ−ＤＲＸサイクルの休止期間の持続時間の、第２Ｃ−ＤＲＸサイクルの持続時間に対する比より大きくなり得る。オプションで、第２Ｃ−ＤＲＸサイクルの休止期間は概して、比較的短く設定されるので、第１Ｃ−ＤＲＸサイクルの休止期間の持続時間Ｔ１ｓは１００ｍｓ以上であり得、または、第１Ｃ−ＤＲＸサイクルの休止期間の持続時間Ｔ１ｓの、第１Ｃ−ＤＲＸサイクルのアクティベーション期間の持続時間Ｔ１ｄに対する比は、８０％より大きくてよい（すなわち、Ｔ１ｓ／Ｔ１ｄ＞８０％）。
【００９２】
例えば、Ｃ−ＤＲＸパラメータは、ロングＤＲＸサイクル（ｌｏｎｇ  ｄｒｘ  ｃｙｃｌｅ）の長さと、ＤＲＸ持続時間タイマ（ｏｎ  ｄｕｒａｔｉｏｎ  ｔｉｍｅｒ）と、ＤＲＸ非活動タイマ（ｄｒｘ  ｉｎａｃｔｉｖｉｔｙ  ｔｉｍｅｒ）とを含み得る。第２Ｃ−ＤＲＸパラメータがＬＯＮＧＤＲＸＣＹＣＬＥ  ＝  ＰＳＦ１６０、ＯＮＤＵＲＡＴＩＯＮＴＩＭＥＲ  ＝  ＰＳＦ８、およびＤＲＸＩＮＡＣＴＩＶＩＴＹＴＩＭＥＲ  ＝  ＰＳＦ８０に設定された場合、それは、第２Ｃ−ＤＲＸサイクルの持続時間が１６０ｍｓであることを示し、ＵＥが８ｍｓ＋８０ｍｓの間ＰＤＣＣＨのデータを何ら受信しなかった場合、第２Ｃ−ＤＲＸサイクルの休止期間に入り得、休止期間の持続時間は、１６０ｍｓ−８ｍｓ−８０ｍｓ、すなわち、７２ｍｓである。よって、第１Ｃ−ＤＲＸパラメータは、ｌｏｎｇ  ｄｒｘ  ｃｙｃｌｅ  ＝  ＰＳＦ１６０、ｏｎ  ｄｕｒａｔｉｏｎ  ｔｉｍｅｒ  ＝  ＰＳＦ２、ｄｒｘ  ｉｎａｃｔｉｖｉｔｙ  ｔｉｍｅｒ  ＝  ＰＳＦ２に設定され得る。それは、第１Ｃ−ＤＲＸサイクルの持続時間が１６０ｍｓであることを示し、ＵＥが２ｍｓ＋２ｍｓの間にＰＤＣＣＨのデータを何ら受信しなかった場合、第１Ｃ−ＤＲＸサイクルの休止期間に入り得、休止期間の持続時間は、１６０ｍｓ−２ｍｓ−２ｍｓ、すなわち、１５６ｍｓである。このように、ＵＥは、１５６ｍｓ内でＲＡＴ間測定を継続して実施することができ、１つの休止期間内でＲＡＴ間測定を完了することができる。
【００９３】
Ｓ３０６。ＵＥが、測定設定パラメータに従って設定を実施し、設定を完了した後に、測定制御確認メッセージをｅＮｏｄｅＢへ送信する。
【００９４】
測定制御確認メッセージは、無線リソース制御接続再構成完了（ＲＲＣ  Ｃｏｎｎｅｃｔｉｏｎ  Ｒｅｃｏｎｆｉｇｕｒａｔｉｏｎ  Ｃｏｍｐｌｅｔｅ）メッセージであり得る。
【００９５】
Ｓ３０７。ＵＥが、第１Ｃ−ＤＲＸサイクルの休止期間に２Ｇまたは３Ｇネットワークの信号品質を測定する。
【００９６】
第１Ｃ−ＤＲＸサイクルの休止期間において、ＵＥは物理ダウンリンク制御チャネルのデータを受信せず、これにより、２Ｇまたは３Ｇネットワークの信号品質を直接的および継続的に測定し、例えば、２Ｇまたは３ＧネットワークのＲＳＲＰまたはＲＳＲＱを測定する。
【００９７】
オプションで、ＵＥはさらに、第１Ｃ−ＤＲＸサイクルのアクティベーション期間においてＧＡＰモードでＲＡＴ間測定を実施し得る。
【００９８】
Ｓ３０８。  ＵＥが、測定結果に従って測定報告を生成し、測定報告をｅＮｏｄｅＢへ送信する。
【００９９】
ＵＥが測定を完了した後、ＵＥは、測定設定パラメータに従って判断を実施する。特定された条件が満たされたとき、ＵＥは、測定報告に測定結果を入力し、測定報告をｅＮｏｄｅＢへ送信する。測定報告は、測定識別子（ＩＤ）と、（ＲＳＲＰおよびＲＳＲＱの測定値などの）測定結果とを含み得る。
【０１００】
Ｓ３０９。ＵＥに対してハンドオーバが実施される必要があるかを、ｅＮｏｄｅＢが測定報告に従って判断し、ハンドオーバが必要であると判断したとき、ｅＮｏｄｅＢはターゲットのセルを判断し、Ｓ３１０を実施する。
【０１０１】
Ｓ３１０。ｅＮｏｄｅＢが、ハンドオーバ要請メッセージをモビリティ管理エンティティＭＭＥへ送信して、ＬＴＥネットワークから２Ｇまたは３ＧネットワークのＣＳドメインへのハンドオーバのプロセスをトリガする。
【０１０２】
ハンドオーバ要請メッセージは、ＣＳＦＢのためにＵＥをＬＴＥネットワークから２Ｇまたは３ＧネットワークのＣＳドメインへハンドオーバするようＭＭＥに要求するのに用いられ得る。ハンドオーバ要請メッセージは、ＳＲＶＣＣ  ＨＯ  Ｒｅｑｕｉｒｅｄ  （Ｓｉｎｇｌｅ  Ｒａｄｉｏ  Ｖｏｉｃｅ  Ｃａｌｌ  Ｃｏｎｔｉｎｕｉｔｙ  Ｈａｎｄｏｖｅｒ  Ｒｅｑｕｉｒｅｄ）メッセージなどの、ＬＴＥネットワークから２Ｇまたは３ＧネットワークのＣＳドメインへのハンドオーバ要請メッセージであり得る。
【０１０３】
Ｓ３１１。ＬＴＥネットワークから２Ｇまたは３ＧネットワークのＣＳドメインへのハンドオーバのプロセスを実行する。
【０１０４】
ハンドオーバ要請メッセージを受信した後、ＭＭＥは、２Ｇまたは３Ｇネットワークの移動通信交換局（ＭＳＣ）を用いることにより、２Ｇまたは３ＧネットワークのＣＳドメインへのＵＥのハンドオーバにＣＳドメインリソースを割り当てるよう２Ｇまたは３Ｇネットワークの基地局（Ｂａｓｅ  Ｓｔａｔｉｏｎ，  ＢＳ）に要求し得る。基地局により割り当てられたＣＳドメイン無線リソースについての情報を取得した後、ＭＭＥは、ハンドオーバ要請応答メッセージをｅＮｏｄｅＢへ送信し得る。ハンドオーバ要請応答メッセージは、ＣＳドメイン無線リソースについての情報を含み、ＣＳドメイン無線リソースについての情報は、ＬＴＥネットワークから２Ｇまたは３ＧネットワークのＣＳドメインへＵＥをハンドオーバするのに用いられる。よって、ｅＮｏｄｅＢは、ハンドオーバ要請応答メッセージを受信し、ハンドオーバコマンドをＵＥへ送信し得る。ハンドオーバコマンドは、ＬＴＥネットワークから２Ｇまたは３ＧネットワークのＣＳドメインへハンドオーバされるようＵＥに命令するのに用いられ、ハンドオーバコマンドは、ＣＳドメイン無線リソースについての情報を含む。ＵＥは、ハンドオーバコマンドに従って、ＬＴＥネットワークから２Ｇまたは３ＧネットワークのＣＳドメインへハンドオーバされ得る。
【０１０５】
さらに、先述のハンドオーバのプロセスが失敗した場合、ＵＥはまだ、第１Ｃ−ＤＲＸサイクルの休止期間または第１Ｃ−ＤＲＸサイクルのアクティベーション期間にある。しかし、概して、ＲＡＴ間測定を加速させるべく、第１Ｃ−ＤＲＸサイクルの休止期間の持続時間は、比較的長く設定される。ハンドオーバが失敗した後、ＵＥがまだ、比較的長い休止期間に留まっている場合、通常のサービスが影響を受ける。よって、この問題を解決するべく、方法は以下の段階をさらに備え得る。
【０１０６】
Ｓ３１２。ｅＮｏｄｅＢが、ハンドオーバのプロセスが失敗したと判断する。
【０１０７】
ＭＭＥにより送信されたハンドオーバ要請応答メッセージをｅＮｏｄｅＢが受信し、ハンドオーバ要請応答メッセージがハンドオーバ失敗インジケーションを搬送し、ハンドオーバのプロセスが失敗したことを示すのにハンドオーバ失敗インジケーションが用いられる場合、ハンドオーバのプロセスが失敗したと判断される。または、ＭＭＥにより送信されたハンドオーバ要請応答メッセージを、ｅＮｏｄｅＢが予め設定された時間内に何ら受信しなかった場合、ｅＮｏｄｅＢはハンドオーバのプロセスが失敗したと判断する。
【０１０８】
Ｓ３１３。ｅＮｏｄｅＢが第２Ｃ−ＤＲＸパラメータをＵＥへ送信し、これにより、ＵＥは、ＲＡＴ間測定が実施される前にＣ−ＤＲＸステータスに戻る。
【０１０９】
ＵＥは、第２Ｃ−ＤＲＸパラメータに従って第２Ｃ−ＤＲＸサイクルのアクティベーション期間にＰＤＣＣＨのデータをリッスンおよび受信し得、第２Ｃ−ＤＲＸサイクルの休止期間にＰＤＣＣＨのデータを受信しなくてよい。
【０１１０】
本願発明の本実施形態は、ＲＡＴ間測定方法を提供する。ＬＴＥネットワーク内に位置するＵＥに対して回線交換フォールバックＣＳＦＢを実施するプロセスにおいて、ＵＥがＬＴＥネットワークから２Ｇまたは３ＧネットワークのＣＳドメインへハンドオーバされる前に、ｅＮｏｄｅＢが、第１Ｃ−ＤＲＸパラメータと測定設定パラメータとを含む測定制御メッセージをＵＥへ送信する。ＵＥは、第１Ｃ−ＤＲＸパラメータと、測定設定パラメータの命令とに従って、第１Ｃ−ＤＲＸサイクルの休止期間に２Ｇまたは３Ｇネットワークの信号品質を継続的に測定し得、これにより、４０ｍｓ／８０ｍｓのサイクルで６ｍｓのみの測定を実施することが回避され、それにより、ＬＴＥネットワーク内に位置するＵＥにより実施される２Ｇ／３Ｇネットワークの信号品質の測定が効果的に加速され、測定時間が短縮され、先行技術におけるＧＡＰモードで実施されるＲＡＴ間測定により引き起こされる過度に長い通話ハンドオーバ準備時間または音声セッションの中断の問題が解決される。
【０１１１】
さらに、第１Ｃ−ＤＲＸサイクルの休止期間の持続時間は、第１Ｃ−ＤＲＸパラメータで判断されるので、第１Ｃ−ＤＲＸパラメータは、以下の方式で設定され得る。第１Ｃ−ＤＲＸサイクル全体において、アクティベーション期間の持続時間（すなわち、アクティベーション期間の時間の長さ）は、持続時間がゼロより大きいときに可能な限り短く、休止期間の持続時間（すなわち、休止期間の時間の長さ）は、持続時間が第１Ｃ−ＤＲＸサイクルの持続時間より短いときに可能な限り長く、これにより、ＵＥは、第１Ｃ−ＤＲＸサイクルの休止期間に比較的長時間留まって、第１Ｃ−ＤＲＸサイクルの休止期間に２Ｇ／３Ｇネットワークの信号品質を継続的に測定し得、これによりＲＡＴ間測定が大幅に加速される。
【０１１２】
本願発明の本実施形態で提供されるＲＡＴ間測定方法はさらに、ｅＮｏｄｅＢが、ＬＴＥネットワーク内に位置するＵＥにＶｏＬＴＥサービスを提供し、ＲＡＴ間測定がハンドオーバの前に実施されるプロセスにおいて、２Ｇ／３ＧネットワークのＣＳドメインへＶｏＬＴＥサービスがハンドオーバされる必要があるシナリオに適用され得る。この場合、段階Ｓ３０２およびＳ３０３は、Ｓ３０２'およびＳ３０３'で置き換えられ得る。
【０１１３】
Ｓ３０２'。ＬＴＥネットワークにアタッチされたＵＥが、ＶｏＬＴＥサービスを実施している。
【０１１４】
Ｓ３０３'。ｅＮｏｄｅＢが、ＵＥに対して、ＬＴＥネットワークから２Ｇまたは３ＧネットワークのＣＳドメインへのハンドオーバが実施される必要があると判断する。
【０１１５】
例えば、ｅＮｏｄｅＢは、ＵＥにより送信されたＬＴＥネットワーク品質の測定報告に従って、ＬＴＥネットワークがＵＥにサービスを提供し続けられないと判断し得、すなわち、ＵＥに対して、ＬＴＥネットワークから２Ｇまたは３ＧネットワークのＣＳドメインへのハンドオーバが実施される必要があると判断し得る。
【０１１６】
先述の方法の実施形態に対応して、本願発明の実施形態は、進化型ノードＢ  ｅＮｏｄｅＢを提案する。図４に示されるように、進化型ノードＢ４０は、判断ユニット４０１とインタラクションユニット４０２とを含む。
【０１１７】
判断ユニット４０１は、ＬＴＥネットワークから２Ｇまたは３ＧネットワークのＣＳドメインへのハンドオーバをＵＥがサポートすると判断するよう構成される。例えば、ロングタームエボリューションＬＴＥネットワーク内に位置するユーザ機器ＵＥに対して回線交換フォールバックＣＳＦＢを実施するプロセスにおいて、またはＵＥにボイスオーバーロングタームエボリューションＶｏＬＴＥサービスを提供するプロセスにおいて、ｅＮｏｄｅＢは、ＬＴＥネットワークから２Ｇまたは３Ｇネットワークの回線交換ＣＳドメインへのハンドオーバをＵＥがサポートすると判断する。
【０１１８】
インタラクションユニット４０２は、測定制御メッセージをＵＥヘ送信するよう構成される。測定制御メッセージは、第１Ｃ−ＤＲＸパラメータと測定設定パラメータとを含み、第１Ｃ−ＤＲＸパラメータと測定設定パラメータとは、第１Ｃ−ＤＲＸサイクルの休止期間に２Ｇまたは３Ｇネットワークの信号品質を測定するようＵＥに命令するのに用いられる。測定制御メッセージは、無線リソース制御接続再構成（ＲＲＣ  Ｃｏｎｎｅｃｔｉｏｎ  Ｒｅｃｏｎｆｉｇｕｒａｔｉｏｎ）メッセージであり得る。
【０１１９】
オプションで、第１Ｃ−ＤＲＸパラメータと測定設定パラメータとは、第１Ｃ−ＤＲＸサイクルのアクティベーション期間にＧＡＰモードで２Ｇまたは３Ｇネットワークの信号品質を測定するようＵＥに命令するのにさらに用いられ得る。
【０１２０】
オプションで、第１Ｃ−ＤＲＸサイクルは第１Ｃ−ＤＲＸパラメータで判断され得、第１Ｃ−ＤＲＸサイクルの休止期間の持続時間は、５１ｍｓ以上である。または、第１Ｃ−ＤＲＸサイクルは第１Ｃ−ＤＲＸパラメータで判断され、第１Ｃ−ＤＲＸサイクルの休止期間の持続時間の、第１Ｃ−ＤＲＸサイクルの持続時間に対する比は、０．６より大きい。
【０１２１】
オプションで、示されているＵＥの電力消費を減少させるよう、または他の目的で、インタラクションユニット４０２は、測定制御メッセージをＵＥへ送信する前に第２Ｃ−ＤＲＸパラメータをＵＥへ送信し得る。第２Ｃ−ＤＲＸパラメータは、ＵＥのために第２Ｃ−ＤＲＸサイクルを設定するのに用いられ、これによりＵＥは、第２Ｃ−ＤＲＸサイクルのアクティベーション期間にＰＤＣＣＨのデータをリッスンおよび受信し、第２Ｃ−ＤＲＸサイクルの休止期間にＰＤＣＣＨのデータを受信せず、これにより、ＵＥの電力消費が減少する。
【０１２２】
オプションで、第２Ｃ−ＤＲＸサイクルは、第２Ｃ−ＤＲＸパラメータで判断され得る。よって、第１Ｃ−ＤＲＸパラメータは以下のように設定され得る。第１Ｃ−ＤＲＸサイクルの休止期間の持続時間が、第２Ｃ−ＤＲＸサイクルの休止期間の持続時間より長い。または、第１Ｃ−ＤＲＸサイクルの休止期間の持続時間の、第１Ｃ−ＤＲＸサイクルの持続時間に対する比が、第２Ｃ−ＤＲＸサイクルの休止期間の持続時間の、第２Ｃ−ＤＲＸサイクルの持続時間に対する比より大きい。これにより、ＵＥがＲＡＴ間測定を継続的に実施できる時間が増加し、ＲＡＴ間測定に費やされる時間が減少し、ＲＡＴ間測定が加速される。
【０１２３】
オプションで、インタラクションユニット４０２はさらに、ＵＥによって返された測定報告を受信し、ＬＴＥネットワークから２Ｇまたは３ＧネットワークのＣＳドメインへのハンドオーバを実行しないよう測定報告に従って判断し、第２Ｃ−ＤＲＸパラメータをＵＥへ送信し得る、または、インタラクションユニット４０２はさらに、ＵＥによって返された測定報告を受信し、ハンドオーバ要請メッセージをモビリティ管理エンティティＭＭＥへ送信してＬＴＥネットワークから２Ｇまたは３ＧネットワークのＣＳドメインへのハンドオーバのプロセスをトリガし、ハンドオーバのプロセスが失敗したと判断し、第２Ｃ−ＤＲＸパラメータをＵＥへ送信し得る、または、インタラクションユニット４０２はさらに、ＵＥによって返された測定報告を受信し、ＬＴＥネットワークから２Ｇまたは３ＧネットワークのＣＳドメインへのハンドオーバを実行しないよう測定報告に従って判断し、ＵＥのＣ−ＤＲＸ機能を無効化するようＵＥに命令するのに用いられる要求メッセージをＵＥへ送信し得る、または、インタラクションユニット４０２はさらに、ＵＥによって返された測定報告を受信し、ハンドオーバ要請メッセージをモビリティ管理エンティティＭＭＥへ送信してＬＴＥネットワークから２Ｇまたは３ＧネットワークのＣＳドメインへのハンドオーバのプロセスをトリガし、ハンドオーバのプロセスが失敗したと判断し、要求メッセージをＵＥへ送信し得る。
【０１２４】
オプションで、ＵＥがアップリンクデータを送信したとき、ＵＥは、第１Ｃ−ＤＲＸサイクルの休止期間を抜けるよう強いられ得、ＲＡＴ間測定が影響を受ける。よって、測定制御メッセージは、アップリンクデータの送信を停止または一時停止するようＵＥに命令するのに用いられる命令情報を搬送し得る。
【０１２５】
本願発明の本実施形態は、進化型ノードＢを提供する。ＬＴＥネットワークから２Ｇまたは３ＧネットワークのＣＳドメインへのハンドオーバをＵＥがサポートすると進化型ノードＢの判断ユニット４０１が判断したとき、進化型ノードＢのインタラクションユニット４０２は、第１Ｃ−ＤＲＸパラメータと測定設定パラメータとを含む測定制御メッセージをＵＥへ送信し得る。このように、ＵＥは、第１Ｃ−ＤＲＸパラメータと、測定設定パラメータの命令とに従って、第１Ｃ−ＤＲＸサイクルの休止期間に２Ｇまたは３Ｇネットワークの信号品質を継続して測定でき、これにより、４０ｍｓ／８０ｍｓのサイクルで６ｍｓのみの測定を実施することが回避され、それにより、ＬＴＥネットワーク内に位置するＵＥにより実施される２Ｇ／３Ｇネットワークの信号品質の測定が効果的に加速され、測定時間が短縮され、先行技術におけるＧＡＰモードで実施されるＲＡＴ間測定により引き起こされる過度に長い通話ハンドオーバ準備時間または音声セッションの中断の問題が解決される。
【０１２６】
さらに、第１Ｃ−ＤＲＸサイクルの休止期間の持続時間は、第１Ｃ−ＤＲＸパラメータで判断されるので、第１Ｃ−ＤＲＸパラメータは、以下の方式で設定され得る。第１Ｃ−ＤＲＸサイクル全体において、アクティベーション期間の持続時間（すなわち、アクティベーション期間の時間の長さ）は、持続時間がゼロより大きいときに可能な限り短く、休止期間の持続時間（すなわち、休止期間の時間の長さ）は、持続時間が第１Ｃ−ＤＲＸサイクルの持続時間より短いときに可能な限り長く、これにより、ＵＥは、第１Ｃ−ＤＲＸサイクルの休止期間に比較的長時間留まって、第１Ｃ−ＤＲＸサイクルの休止期間に２Ｇ／３Ｇネットワークの信号品質を継続的に測定し得、これにより、ＲＡＴ間測定が大幅に加速される。
【０１２７】
先述の方法の実施形態に対応して、本願発明の実施形態は、ユーザ機器を提案する。図５に示されるように、ユーザ機器５０は、インタラクションユニット５０１と処理ユニット５０２とを含む。
【０１２８】
インタラクションユニット５０１は、ｅＮｏｄｅＢにより送信された測定制御メッセージを受信するよう構成される。測定制御メッセージは、第１Ｃ−ＤＲＸパラメータと測定設定パラメータとを含み、第１Ｃ−ＤＲＸパラメータと測定設定パラメータとは、第１Ｃ−ＤＲＸサイクルの休止期間に２Ｇまたは３Ｇネットワークの信号品質を測定するようＵＥに命令するのに用いられる。例えば、ユーザ機器ＵＥに対してｅＮｏｄｅＢがＣＳＦＢを実施するプロセスにおいて、またはｅＮｏｄｅＢがＵＥにＶｏＬＴＥサービスを提供するプロセスにおいて、インタラクションユニット５０１は、ｅＮｏｄｅＢにより送信された測定制御メッセージを受信し得る。
【０１２９】
処理ユニット５０２は、第１Ｃ−ＤＲＸサイクルの休止期間に２Ｇまたは３Ｇネットワークの信号品質を測定するよう構成される。
【０１３０】
オプションで、第１Ｃ−ＤＲＸサイクルは第１Ｃ−ＤＲＸパラメータで判断され得、第１Ｃ−ＤＲＸサイクルの休止期間の持続時間は、５１ｍｓ以上である。または、第１Ｃ−ＤＲＸサイクルは第１Ｃ−ＤＲＸパラメータで判断され得、第１Ｃ−ＤＲＸサイクルの休止期間の持続時間の、第１Ｃ−ＤＲＸサイクルの持続時間に対する比は、０．６より大きい。
【０１３１】
オプションで、インタラクションユニット５０１は、ｅＮｏｄｅＢにより送信された測定制御メッセージを受信する前に、ｅＮｏｄｅＢにより送信された第２Ｃ−ＤＲＸパラメータを受信するようさらに構成される。第２Ｃ−ＤＲＸパラメータは、ユーザ機器のために第２Ｃ−ＤＲＸサイクルを設定するのに用いられる。インタラクションユニット５０１は、第２Ｃ−ＤＲＸパラメータに従って第２Ｃ−ＤＲＸサイクルのアクティベーション期間にＰＤＣＣＨのデータをリッスンおよび受信し得、第２Ｃ−ＤＲＸサイクルの休止期間にＰＤＣＣＨのデータを受信しなくてよく、これにより、ＵＥの電力消費が減少する。
【０１３２】
オプションで、第２Ｃ−ＤＲＸサイクルは、第２Ｃ−ＤＲＸパラメータで判断される。よって、第１Ｃ−ＤＲＸパラメータは以下のように設定され得る。第１Ｃ−ＤＲＸサイクルの休止期間の持続時間が、第２Ｃ−ＤＲＸサイクルの休止期間の持続時間より長い。または、第１Ｃ−ＤＲＸサイクルの休止期間の持続時間の、第１Ｃ−ＤＲＸサイクルの持続時間に対する比が、第２Ｃ−ＤＲＸサイクルの休止期間の持続時間の、第２Ｃ−ＤＲＸサイクルの持続時間に対する比より大きい。
【０１３３】
オプションで、処理ユニット５０２は、２Ｇまたは３Ｇネットワークの信号品質を測定することにより取得された測定結果に従って測定報告を生成するようさらに構成され得る。インタラクションユニット５０１は、ｅＮｏｄｅＢへ測定報告を送信するようさらに構成され得る。
【０１３４】
オプションで、測定報告を送信した後に、インタラクションユニット５０１はさらに、ｅＮｏｄｅＢにより送信された第２Ｃ−ＤＲＸパラメータを受信し得る。第２Ｃ−ＤＲＸパラメータは、ユーザ機器のために第２Ｃ−ＤＲＸサイクルを設定するのに用いられ、これによりユーザ機器は、ＲＡＴ間測定が実施される前にＣ−ＤＲＸステータスに戻り、または、測定報告を送信した後に、インタラクションユニット５０１は、ＵＥのＣ−ＤＲＸ機能を無効化するようＵＥに命令するのに用いられる、ｅＮｏｄｅＢにより送信された要求メッセージを受信する。処理ユニット５０２は、ＵＥのＣ−ＤＲＸ機能を無効化するようさらに構成される。
【０１３５】
オプションで、ＵＥがアップリンクデータを送信したとき、ＵＥは、Ｃ−ＤＲＸサイクルの休止期間を抜けるよう強いられ得る。よって、ｅＮｏｄｅＢにより送信された測定制御メッセージを受信した後に、インタラクションユニット５０１は、アップリンクデータの送信を停止し得る。さらに、インタラクションユニット５０１はさらに、ｅＮｏｄｅＢへ測定報告を送信した後にアップリンクデータの送信に戻り得る。
【０１３６】
本願発明の本実施形態は、ユーザ機器を提供する。ユーザ機器のインタラクションユニット５０１は、第１Ｃ−ＤＲＸパラメータと測定設定パラメータとを含む、進化型ノードＢにより送信された測定制御メッセージを受信し得る。ユーザ機器の処理ユニット５０２は、第１Ｃ−ＤＲＸパラメータと、測定設定パラメータの命令とに従って、第１Ｃ−ＤＲＸサイクルの休止期間に２Ｇまたは３Ｇネットワークの信号品質を継続的に測定し得、これにより、４０ｍｓ／８０ｍｓのサイクルで６ｍｓのみの測定を実施することが回避され、それにより、ＬＴＥネットワーク内に位置するＵＥにより実施される２Ｇ／３Ｇネットワークの信号品質の測定が効果的に加速され、測定時間が短縮され、先行技術におけるＧＡＰモードで実施されるＲＡＴ間測定により引き起こされる過度に長い通話ハンドオーバ準備時間または音声セッションの中断の問題が解決される。
【０１３７】
さらに、第１Ｃ−ＤＲＸサイクルの休止期間の持続時間は、第１Ｃ−ＤＲＸパラメータで判断されるので、第１Ｃ−ＤＲＸパラメータは、以下の方式で設定され得る。第１Ｃ−ＤＲＸサイクル全体において、アクティベーション期間の持続時間（すなわち、アクティベーション期間の時間の長さ）は、持続時間がゼロより大きいときに可能な限り短く、休止期間の持続時間（すなわち、休止期間の時間の長さ）は、持続時間が第１Ｃ−ＤＲＸサイクルの持続時間より短いときに可能な限り長く、これにより、ＵＥは、第１Ｃ−ＤＲＸサイクルの休止期間に比較的長時間留まって、第１Ｃ−ＤＲＸサイクルの休止期間に２Ｇ／３Ｇネットワークの信号品質を継続的に測定し得、これにより、ＲＡＴ間測定が大幅に加速される。
【０１３８】
図４および図５の先述の実施形態において、メッセージを送信する、またはメッセージを受信するよう構成されたインタラクションユニットが、送信機を用いることにより実装され得る、受信機を用いることにより実装され得る、またはトランシーバを用いることにより実装され得ることを当業者は理解できる。物理的な実装において、送信機またはトランシーバは、１つの物理的なエンティティにより、または、複数の物理的なエンティティにより実装され得、送信機およびトランシーバは、１つの物理的なエンティティにより、または複数の物理的なエンティティにより実装され得る。このことは、本願発明に限定されない。判断ユニットまたは処理ユニットなどの他のユニットが、１または複数のプロセッサを用いることにより実装され得る。このことは、本願発明に限定されない。
【０１３９】
図６に示されるように、本願発明の実施形態はＲＡＴ間測定装置を提供し、装置は、プロセッサ６０１と、メモリ６０２と、バス６０４と、通信インタフェース６０５とを備え得る。プロセッサ６０１と、メモリ６０２と、通信インタフェース６０５とは、互いに接続され、バス６０４を用いることにより互いと通信する。
【０１４０】
プロセッサ６０１は、本願発明の本実施形態を実装するよう構成された、シングルコアまたはマルチコア中央演算処理装置、または特定用途向け集積回路、または、１または複数の集積回路であり得る。
【０１４１】
メモリ６０２は、高速ＲＡＭメモリであり得、または少なくとも１つの磁気ディスクメモリなどの不揮発性メモリ（ｎｏｎ−ｖｏｌａｔｉｌｅ  ｍｅｍｏｒｙ）であり得る。
【０１４２】
メモリ６０２は、コンピュータ実行命令６０３を記憶するよう構成される。具体的に、コンピュータ実行命令６０３はプログラムコードを含み得る。
【０１４３】
装置が動作しているとき、プロセッサ６０１は、コンピュータ実行命令６０３を実行することにより、図１から図３Ａおよび図３Ｂのいずれか１つに対応する方法の実施形態で説明されたＲＡＴ間測定方法手順を実行し得る。図１または図３Ａおよび図３Ｂに対応する方法の実施形態で説明されたＲＡＴ間測定方法手順が実行されるとき、装置は進化型ノードＢであり得る。図２または図３Ａおよび図３Ｂに対応する方法の実施形態で説明されたＲＡＴ間測定方法手順が実行されるとき、装置はユーザ機器であり得る。
【０１４４】
本願発明の実施形態は、コンピュータ実行命令を含むコンピュータ可読媒体を提供する。コンピュータのプロセッサがコンピュータ実行命令を実行したとき、コンピュータは、図１または図３Ａおよび図３Ｂに対応する方法の実施形態で説明されたＲＡＴ間測定方法を実行する。
【０１４５】
本願発明の実施形態は、コンピュータ実行命令を含むコンピュータ可読媒体を提供する。コンピュータのプロセッサがコンピュータ実行命令を実行したとき、コンピュータは、図２または図３Ａおよび図３Ｂに対応する方法の実施形態で説明されたＲＡＴ間測定方法を実行する。
【０１４６】
図７を参照すると、本願発明の実施形態は、進化型ノードＢ４０とユーザ機器５０とを備える測定システムを提供する。進化型ノードＢ４０とユーザ機器５０とにより別々に実行されるアクション、および、進化型ノードＢ４０とユーザ機器５０との間でのインタラクションについては、図１から図３Ａおよび図３Ｂに対応する方法の実施形態の説明を参照されたく、または、図４および図５に対応する装置の実施形態の説明を参照されたく、ここでは詳細は説明されない。
【０１４７】
本願発明で言及されたＬＴＥネットワークは、ＬＴＥ  Ａネットワーク、および、続いて現れ得るバージョンのＬＴＥネットワークを含む。
【０１４８】
加えて、本願発明の実施形態における複数の機能ユニットは、１つの処理ユニットに統合されてよい。または、これら複数のユニットの各々が、物理的に単独で存在してよい。または、２またはそれより多くのユニットが１つのユニットに統合される。統合されたユニットは、ハードウェアの形態で実装されてよい、または、ソフトウェア機能ユニットの形態で実装されてよい。
【０１４９】
統合されたユニットがソフトウェア機能ユニットの形態で実装され、独立した製品として販売されるまたは用いられるとき、統合されたユニットは、コンピュータ可読記憶媒体に記憶され得る。そのような理解に基づき、本願発明の技術的解決法は本質的に、または先行技術に寄与する部分、または技術的解決法の全てまたは一部は、ソフトウェア製品の形態で実装され得る。ソフトウェア製品は、記憶媒体に記憶され、本願発明の実施形態で説明された方法の段階の全てまたは一部を実施するよう（パーソナルコンピュータ、サーバ、またはネットワークデバイスであり得る）コンピュータデバイスに命令するためのいくつかの命令を含む。先述の記憶媒体は、ＵＳＢフラッシュドライブ、リムーバブルハードディスク、リードオンリメモリ（ＲＯＭ，  Ｒｅａｄ‐Ｏｎｌｙ  Ｍｅｍｏｒｙ）、ランダムアクセスメモリ（ＲＡＭ，  Ｒａｎｄｏｍ  Ａｃｃｅｓｓ  Ｍｅｍｏｒｙ）、磁気ディスク、または光ディスクなどの、プログラムコードを記憶できる任意の媒体を含む。
【０１５０】
本明細書で開示されている実施形態において説明されている例と組み合わせて、ユニットおよびアルゴリズム段階が電子ハードウェア、コンピュータソフトウェア、またはこれらの組み合わせにより実装され得ることを当業者は認識し得る。ハードウェアとソフトウェアとの間の互換性を明確に説明すべく、先述のものにおいては概して、機能に従って各例の構成および段階を説明した。それらの機能がハードウェアにより実施されるか、またはソフトウェアにより実施されるかは、技術的解決法の特定の応用および設計制約条件次第である。当業者は、異なる方法を用いて、説明されている機能を各々の特定の応用のために実装し得るが、その実装が本願発明の範囲を超えるものとして見なされるべきではない。
【０１５１】
説明を簡便かつ簡潔にする目的で、先述のシステム、装置、およびユニットの詳細な動作プロセスについては、先述の方法の実施形態における対応するプロセスが参照され得ることが当業者には明確に理解され得、詳細はここで説明されていない。
【０１５２】
本出願に提供されているいくつかの実施形態において、開示されているシステム、装置、および方法は、他の方式で実装され得ることが理解されるべきである。例えば、説明されている装置の実施形態は、単に例にである。例えば、ユニットの区分けは、単に論理的な機能の区分けであり、実際の実装においては他の区分けであり得る。例えば、複数のユニットまたはコンポーネントが組み合わせられてよく、または他のシステムに統合されてよく、または、いくつかの特徴が無視されてよく、もしくは、実施されなくてよい。加えて、表示または議論される相互結合または直接結合または通信接続は、いくつかのインタフェースを介して実装され得る。装置間、またはユニット間の間接的結合または通信接続は、電子的、機械的、または他の形態で実装され得る。
【０１５３】
別個な部分として説明されるユニットは、物理的に別個のものであってもなくてもよい。また、ユニットとして表示される部分は、物理的なユニットであってもなくてもよく、１つの箇所に位置するものであってよく、または、複数のネットワークユニットに分散されてもよい。それらユニットの一部または全てが、本願発明の実施形態の解決法の目的を実現するための実際の必要性に従って選択され得る。
【０１５４】
先述の説明は単に本願発明の特定の実施形態であり、本願発明の保護範囲を限定することは意図されていない。当業者により、本願発明において開示された技術的範囲内で容易に考え出されるあらゆる変形または置換は、本願発明の保護範囲内に含まれるものとする。よって、本願発明の保護範囲は、特許請求の範囲の保護範囲に従うものとする。
【図１】
0006378430.tif 000002
【図２】
0006378430.tif 000003
【図３Ａ】
0006378430.tif 000004
【図３Ｂ】
0006378430.tif 000005
【図４】
0006378430.tif 000006
【図５】
0006378430.tif 000007
【図６】
0006378430.tif 000008
【図７】
0006378430.tif 000009